(57)【要約】      （修正有）【課題】端末装置に対して継続したサービスを提供することが可能な通信制御装置及び呼接続変更方法を提供すること。【解決手段】無線通信システム１０において通信制御装置３００は、端末装置２００と無線通信を行う第１の基地局装置１００−１を制御する第１の基地局制御装置４００−１に対する減設指示又は移設指示を受信したとき、第２の基地局装置１００−２を制御する第２の基地局制御装置４００−２に接続された第２の基地局装置を端末装置の接続の切替先とする第１の接続切替要求を第１の基地局制御装置４００−１へ送信することを指示する演算処理部３６０と、指示に従って第１の接続切替要求を第１の基地局制御装置４００−１へ送信するインタフェース処理部３５０とを備える。【選択図】図１
2017184029.tif 000002
【特許請求の範囲】
【請求項１】
端末装置と無線通信を行う第１の基地局装置を制御する第１の基地局制御装置に対する減設指示又は移設指示を受信したとき、第２の基地局装置を制御する第２の基地局制御装置に接続された当該第２の基地局装置を前記端末装置の接続の切替先とする第１の接続切替要求を前記第１の基地局制御装置へ送信することを指示する演算処理部と、
前記指示に従って前記第１の接続切替要求を前記第１の基地局制御装置へ送信するインタフェース処理部と
を備えることを特徴とする通信制御装置。
【請求項２】
更に、データ記憶部を備え、
前記演算処理部は、前記通信制御装置と前記第１及び第２の基地局制御装置の間で前記端末装置の接続の切替を行うことを示すフラグを前記データ記憶部に記憶することを特徴とする請求項１記載の通信制御装置。
【請求項３】
前記演算処理部は、前記第２の基地局制御装置から第２の接続切替要求を受信したとき、前記第２の接続切替要求を前記第２の基地局装置へ送信することなく前記第２の接続切替要求に対する応答メッセージを前記第２の基地局制御装置へ送信することを特徴とする請求項１記載の通信制御装置。
【請求項４】
前記演算処理部は、前記第１の接続切替要求に対して前記第２の基地局制御装置から第２の接続切替要求を受信できなかったとき、第３の基地局装置を制御する第３の基地局制御装置に接続された当該第３の基地局装置を前記端末装置の接続の切替先とする第３の接続切替要求を前記第２の基地局制御装置へ送信することを特徴とする請求項１記載の通信制御装置。
【請求項５】
前記演算処理部は、前記第１の基地局制御装置から受信した、前記端末装置に対する接続の切替を指示する切替指示を前記第１の基地局装置へ送信することなく、前記第１の基地局装置に関する情報を含むメッセージを前記第１の基地局制御装置へ送信することを特徴とする請求項１記載の通信制御装置。
【請求項６】
前記演算処理部は、前記第１の基地局制御装置から受信した前記端末装置の接続リソースの開放を要求する開放要求を前記第１の基地局装置へ送信することなく、前記接続リソースの開放を確認するメッセージを前記第１の基地局制御装置へ送信することを特徴とする請求項１記載の通信制御装置。
【請求項７】
演算処理部とインタフェース処理部を備える通信制御装置における呼接続変更方法であって、
前記演算処理部により、端末装置と無線通信を行う第１の基地局装置を制御する第１の基地局制御装置に対する減設指示又は移設指示を受信したとき、第２の基地局装置を制御する第２の基地局制御装置に接続された当該第２の基地局装置を前記端末装置の接続の切替先とする第１の接続切替要求を前記第１の基地局制御装置へ送信することを指示し、
前記インタフェース処理部により、前記指示に従って前記第１の接続切替要求を前記第１の基地局制御装置へ送信する
ことを特徴とする呼接続変更方法。
【発明の詳細な説明】
【技術分野】
【０００１】
本発明は、通信制御装置及び呼接続変更方法に関する。
【背景技術】
【０００２】
現在、標準化団体である３ＧＰＰ（3rd Generation Partnership Project）では、大容量で高速の無線ネットワークシステムの技術として、ＬＴＥ（Long Term Evolution）及びＬＴＥ−Ａｄｖａｎｃｅｄの後継システムが検討されている。このようなシステムは、第５世代移動通信（5G:the 5th Generation mobile communication）と呼ばれている。また、日本においてはＬＴＥ−Ａｄｖａｎｃｅｄ技術の一つであるＣＡ（Carrier Aggregation）を用いたサービスが２０１５年より本格的に導入され、２００Ｍｂｐｓを超えた伝送速度で無線通信が可能となっている。
【０００３】
ＬＴＥシステムにおいては、ＭＭＥ（Mobility Management Entity）とｅＮＢ（evolved Node B）の間でＳ１ＡＰ（S1 Application Protocol）を用いたメッセージなどが交換される場合がある。ＭＭＥは、例えば、Ｓ１ＡＰを用いたメッセージにより、ＵＥ（User Equipment）の位置登録やハンドオーバなどを制御することが可能となる。
【０００４】
一方、３ＧＰＰでは、ＨｅＮＢ（Home eNB）に関する標準化も検討されている。ＨｅＮＢは、例えば、ＭｅＮＢ（Macro eNB）よりも狭いカバレッジ範囲でＵＥに対してサービスを提供している。ＨｅＮＢにより、ＭｅＮＢにおけるトラヒックの増大に対処したり、ＭｅＮＢの通信エリアを補間したりすることが可能となる。例えば、ＨｅＮＢとＭｅＮＢを用いてＨｅｔＮｅｔ（Heterogeneous ）システムが構築されてもよい。
【０００５】
ＭｅＮＢと比較してカバレッジ範囲の狭いＨｅＮＢは、ＭｅＮＢより多くの台数が設置される場合がある。このため、ＭＭＥにおいてＨｅＮＢから受信するメッセージ数は、ＭｅＮＢから受信するメッセージ数よりも多くなる場合がある。そのため、ＨｅＮＢとＭＭＥの間にＨｅＮＢ  ＧＷ（HeNB Gateway）が設置される場合がある。ＨｅＮＢ  ＧＷにより、例えば、ＭＭＥに対する負荷軽減を図ることが可能となる。３ＧＰＰにおいては、ＨｅＮＢ  ＧＷの標準化も検討されている。
【０００６】
無線通信に関する技術として、例えば、以下がある。すなわち、移設先のＰＧＷ（Packet Data Network Gateway）とＳＧＷ（Serving Gateway）は、移設指示に基づいて、不具合の生じたＰ−ＣＳＣＦ（Proxy-Call Session Control Function）に収容されたＵＥを収容し、ＵＥと移設先のＰ−ＣＳＣＦのセッションを確立するようにした通信システムがある。
【０００７】
この技術によれば、正常なセッションに影響を与えないように輻輳の原因となる別のゲートウェイ装置へ移設することが可能となる、とされる。
【０００８】
また、無線アクセス装置は、無線アクセス装置と無線制御局、無線制御局とＢＴＳの各通信経路を設定後、交換局と無線制御局の通信経路を設定し、その後、無線アクセス装置とＵＥの通信経路を解放する無線アクセス装置がある。
【０００９】
この技術によれば、マクロセル及びフェムトセル間におけるＵＥの移動制御を行う場合、コアネットワークにおける処理負担の軽減を図ることが可能となる、とされる。
【００１０】
さらに、ホーム基地局識別情報にはホーム基地局を識別する第１のデータ長を有し、上位部分には第１のデータ長よりも短くマクロ基地局を識別する第２のデータ長を含み、当該識別情報に基づいて基地局群毎に交換局側通信インタフェースを１つずつ確立する中継局もある。
【００１１】
この技術によれば、交換局の負荷を低減しながら、交換局からホーム基地局へ情報を確実に伝達することが可能となる、とされる。
【先行技術文献】
【特許文献】
【００１２】
【特許文献１】特開２０１４−２３６２３４号公報
【特許文献２】特開２０１２−１２９８６７号公報
【特許文献３】国際公開第２０１４／１５５５１３号
【発明の概要】
【発明が解決しようとする課題】
【００１３】
ＬＴＥシステムにおいては、例えば、古くなったＭＭＥがＬＴＥシステムから物理的に切り離されて、減設される場合がある。減設対象のＭＭＥでは、例えば、接続呼に対する制御などを行っているため、減設前に、接続呼に対する切断処理を行う場合がある。接続呼が切断されると、端末装置は、ＬＴＥシステムなどからデータなどを受信することができなくなり、サービスの提供を受けることができなくなってしまう。
【００１４】
上述した、不具合の生じたＰ−ＣＳＣＦに収容されたＵＥを収容する技術などは、いずれもＭＭＥの減設に対する処理については何ら開示されていない。従って、これらの技術では、接続呼の切断によって、端末装置においてサービスの提供を受けられなくなってしまう場合がある。
【００１５】
そこで、一開示は、端末装置に対して継続したサービスを提供することが可能な通信制御装置、及び呼接続変更方法を提供することにある。
【課題を解決するための手段】
【００１６】
一開示は、通信制御装置において、端末装置と無線通信を行う第１の基地局装置を制御する第１の基地局制御装置に対する減設指示又は移設指示を受信したとき、第２の基地局装置を制御する第２の基地局制御装置に接続された当該第２の基地局装置を前記端末装置の接続の切替先とする第１の接続切替要求を前記第１の基地局制御装置へ送信することを指示する演算処理部と、前記指示に従って前記第１の接続切替要求を前記第１の基地局制御装置へ送信するインタフェース処理部とを備える通信制御装置を備える。
【発明の効果】
【００１７】
一開示によれば、端末装置に対して継続したサービスを提供することが可能な通信制御装置、及び呼接続変更方法を提供することができる。
【図面の簡単な説明】
【００１８】
【図１】図１は無線通信システムの構成例を表す図である。
【図２】図２は無線通信システムの構成例を表す図である。
【図３】図３はＵＥＩＤ再配置の例を表す図である。
【図４】図４はＵＥＩＤ再配置の例を表す図である。
【図５】図５（Ａ）と図５（Ｂ）は接続呼の切替例を表す図である。
【図６】図６は無線通信システムの構成例を表す図である。
【図７】図７（Ａ）はＵＥ、図７（Ｂ）はＨｅＮＢの構成例をそれぞれ表す図である。
【図８】図８はＭＭＥの構成例を表す図である。
【図９】図９は無線通信システムの構成例を表す図である。
【図１０】図１０（Ａ）は使用可否テーブル、図１０（Ｂ）は再配置管理テーブルの構成例をそれぞれ表す図である。
【図１１】図１１（Ａ）はＨｅＮＢ接続情報管理テーブル、図１１（Ｂ）は呼接続情報管理テーブル、図１１（Ｃ）はＲＭＣ記憶テーブル、図１１（Ｄ）は特殊ＨＯ実施中フラグの構成例をそれぞれ表す図である。
【図１２】図１２はＭＭＥの減設前のシーケンス例を表す図である。
【図１３】図１３（Ａ）から図１３（Ｃ）は再配置管理テーブルの構成例を表す図である。
【図１４】図１４（Ａ）から図１４（Ｃ）は呼接続情報管理テーブルの構成例を表す図である。
【図１５】図１５はＭＭＥを減設する際のシーケンス例を表す図である。
【図１６】図１６はＭＭＥを減設する際のシーケンス例を表す図である。
【図１７】図１７はＴａｒｇｅｔ  ＨｅＮＢ選択処理フローの例を表す図である。
【図１８】図１８はＨａｎｄｏｖｅｒ  Ｒｅｑｕｅｓｔ受信処理フローの例を表す図である。
【図１９】図１９（Ａ）は再配置管理テーブル、図１９（Ｂ）は呼接続情報管理テーブルの構成例をそれぞれ表す図である。
【図２０】図２０はＨａｎｄｏｖｅｒ  Ｃｏｍｍａｎｄ受信処理フローの例を表す図である。
【図２１】図２１（Ａ）は再配置管理テーブル、図２１（Ｂ）は呼接続情報管理テーブルの構成例をそれぞれ表す図である。
【図２２】図２２はｅＮＢ  Ｓｔａｔｕｓ  Ｔｒａｎｓｆｅｒ受信処理フローの例を表す図である。
【図２３】図２３はＵＥ  Ｃｏｎｔｅｘｔ  Ｒｅｌｅａｓｅ  Ｃｏｍｍａｎｄ受信処理フローの例を表す図である。
【図２４】図２４（Ａ）は再配置管理テーブル、図２４（Ｂ）は呼接続情報管理テーブルの構成例をそれぞれ表す図である。
【図２５】図２５は全体の繰り返しフローの例を表す図である。
【図２６】図２６は既存処理のシーケンス例を表す図である。
【図２７】図２７は無線通信システムの構成例を表す図である。
【発明を実施するための形態】
【００１９】
以下、本発明を実施するための形態について説明する。なお、以下の実施例は開示の技術を限定するものではない。そして、各実施の形態は、処理内容を矛盾させない範囲で適宜組み合わせることが可能である。
【００２０】
また、本明細書に記載された用語や技術的内容は、ＩＥＥＥなど通信に関する規格として仕様書に記載された用語や技術的内容が適宜用いられてもよい。
【００２１】
［第１の実施の形態］
図１は第１の実施の形態における無線通信システム１０の構成例を表す図である。無線通信システム１０は、第１及び第２の基地局装置１００−１，１００−２、端末装置２００、通信制御装置３００、及び第１及び第２の基地局制御装置４００−１，４００−２を備える。
【００２２】
なお、図１において、端末装置２００は第１の基地局装置１００−１と接続して無線通信を行っている。
【００２３】
また、第１の基地局制御装置４００−１は第１の基地局装置１００−１を制御する。また、第２の基地局制御装置４００−２は第２の基地局装置１００−２を制御する。
【００２４】
通信制御装置３００は、インタフェース処理部３５０と演算処理部３６０を備える。演算処理部３６０は、第１の基地局制御装置４００−１に対する減設指示又は移設指示を受信したとき、第１の接続切替要求を第１の基地局制御装置４００−１へ送信することを指示する。第２の接続切替要求では、端末装置２００の接続の切替先を、第２の基地局制御装置４００−２に接続された第２の基地局装置１００−２としている。
【００２５】
インタフェース処理部３５０は、当該指示に従って、第１の接続切替要求を第１の基地局制御装置４００−１へ送信する。
【００２６】
第１の基地局制御装置４００−１は、例えば、第１の接続切替要求に従って、端末装置２００の接続先を第２の基地局装置１００−２へ切り替える処理を行う。この場合、第１の基地局制御装置４００−１は、第２の基地局装置１００−２が第２の基地局制御装置４００−２と接続されていることを確認し、端末装置２００の第１の基地局制御装置４００との接続を第２の基地局制御装置４００−２へ切り替える処理を行う。基地局制御装置を跨いだ接続の切り替えを、例えば、リロケーションと称する場合がある。このリロケーションにより、端末装置２００の基地局制御装置に対する接続は第１の基地局制御装置４００−１が減設されても維持される。
【００２７】
よって、無線通信システム１０は、端末装置２００に対してサービスを継続して提供することが可能となる。
【００２８】
［第２の実施の形態］
次に第２の実施の形態について説明する。
【００２９】
＜無線通信システムの構成例＞
図２は本第２の実施の形態における無線通信システム１０の構成例を表している。無線通信システム１０は、ＨｅＮＢ（又はホーム基地局装置）１００−１，１００−２とＵＥ（又は端末装置。以下、「ＵＥ」と称する場合がある）２００−１，２００−２を備える。また、無線通信システム１０は、ＨｅＮＢ  ＧＷ（又はホーム基地局ゲートウェイ装置。以下、「ＨｅＮＢ  ＧＷ」と称する場合がある）３００、ＭＭＥ／ＳＧＷ４００、及びＨｅＭＳ（Home eNB Management System）５００を備える。さらに、無線通信システム１０は、ｅＮＢ（又はマクロ基地局装置。以下、「ｅＮＢ」と称する場合がある）１００−５〜１００−７も備える。
【００３０】
なお、ＨｅＮＢ１００−１，１００−２は、例えば、第１の実施の形態における第１及び第２の基地局装置１００−１，１００−２にそれぞれ対応する。また、ＵＥ２００−１，２００−２は、例えば、第１の実施の形態における端末装置２００に対応する。さらに、ＨｅＮＢ  ＧＷ３００は、例えば、第１の実施の形態における通信制御装置３００に対応する。
【００３１】
ＨｅＮＢ１００−１，１００−２は、例えば、自局のカバレッジ範囲内において、ＵＥ２００−１，２００−２に対して、通話サービスやＷｅｂ閲覧サービスなど、種々のサービスを提供することが可能な無線通信装置である。
【００３２】
また、ｅＮＢ１００−５〜１００−７も、例えば、自局のカバレッジ範囲内において、ＵＥ２００−１，２００−２に対して各種サービスを提供することが可能な無線通信装置である。
【００３３】
ただし、ＨｅＮＢ１００−１，１００−２のカバレッジ範囲は、ｅＮＢ１００−５〜１００−７のカバレッジ範囲よりも狭くなっている。ＨｅＮＢ１００−１，１００−２により、ｅＮＢ１００−５〜１００−７のトラヒック増大を抑制したり、ｅＮＢ１００−５〜１００−７の通信エリアを補間したりすることが可能となる。ｅＮＢ１００−５〜１００−７やそのカバレッジ範囲を、例えば、マクロセルと称する場合がある。一方、ＨｅＮＢ１００−１，１００−２やそのカバレッジ範囲を、例えば、ホームセル（又はフェムトセル、或いはスモールセル）と称する場合がある。マクロセルとホームセルが重畳してカバレッジ範囲を有するシステムのことを、例えば、ＨｅｔＮｅｔシステムと称する場合もある。なお、本第２の実施の形態において、ＨｅＮＢ１００−１，１００−２は、マクロセル外にあってもよい。
【００３４】
ＵＥ２００−１，２００−２は、例えば、フィーチャーフォン、スマートフォン、タブレット端末、パーソナルコンピュータ、ゲーム装置などの無線通信装置である。ＵＥ２００−１，２００−２は、ＨｅＮＢ１００−１，１００−２やｅＮＢ１００−５〜１００−７から、通話サービスなど各種サービスの提供を受けることが可能である。
【００３５】
ＨｅＮＢ  ＧＷ３００は、例えば、Ｓ１ＡＰを利用して、ＨｅＮＢ１００−１，１００−２との間でメッセージなどを交換する。また、ＨｅＮＢ  ＧＷ３００は、例えば、Ｓ１ＡＰを利用して、ＭＭＥ／ＳＧＷ４００との間でメッセージなどを交換する。ＨｅＮＢ  ＧＷ３００は、配下のＨｅＮＢ１００−１，１００−２から送信されたメッセージをＭＭＥ／ＳＧＷ４００へ送信したり、ＭＭＥ／ＳＧＷ４００から送信されたメッセージを配下のＨｅＮＢ１００−１，１００−２へ送信したりする。このため、ＨｅＮＢ  ＧＷ３００は、例えば、ＨｅＮＢ１００−１，１００−２とＭＭＥ／ＳＧＷ４００との間でゲートウェイ装置又は通信制御装置としての役割を果たしている。
【００３６】
なお、ＨｅＮＢ  ＧＷ３００は、ＨｅＮＢ１００−１，１００−２で設定されたＵＥ２００−１，２００−２のＵＥＩＤ（UE Identification：ＵＥ識別情報）と、ＭＭＥ４００で設定されたＵＥ２００−１，２００−２のＵＥＩＤに対して再配置を行う。ＵＥＩＤ再配置については後述する。
【００３７】
ＭＭＥ／ＳＧＷ４００は、例えば、ＵＥ２００−１，２００−２の位置登録を行ったり、ハンドオーバ制御を行ったりするなど、通信システム１０におけるＣ−Ｐｌａｎｅ（又は制御信号）に関する処理又は制御を行う。また、ＭＭＥ／ＳＧＷ４００は、例えば、ＨｅＮＢ１００−１，１００−２やｅＮＢ１００−５〜１００−７とＰＧＷの間でユーザデータを交換したり、３Ｇシステムへの経路の切り替えを行ったりする。
【００３８】
また、ＭＭＥ／ＳＧＷ４００は、例えば、Ｓ１ＡＰを利用して、ｅＮＢ１００−５〜１００−７との間でメッセージなどを交換したり、ＨｅＮＢ  ＧＷ３００との間でメッセージを交換したりする。なお、ＭＭＥ／ＳＧＷ４００は、例えば、ＭＭＥとＳＧＷをまとめて標記したものであり、ＭＭＥとＳＧＷは別々の装置として配置されてもよい。この場合、「ＭＭＥ４００」又は「ＳＧＷ６００」と表記する場合がある。ＭＭＥ４００は、例えば、１又は複数の基地局装置を制御する基地局制御装置である。
【００３９】
ＨｅＭＳ５００は、例えば、ＨｅＮＢ１００−１，１００−２の管理や制御を行う。本第２の実施の形態では、ＨｅＭＳ５００は、ＨｅＮＢ  ＧＷ３００と接続されたＭＭＥ４００の減設指示を、ＨｅＮＢ  ＧＷ３００へ送信する。減設は、例えば、無線通信システム１０に接続されたＭＭＥ４００を、無線通信システム１０から物理的にその接続を外すことである。減設は、例えば、増設に対する反対語であってもよい。減設指示を受けたＨｅＮＢ  ＧＷ３００における詳細は動作例で説明する。
【００４０】
なお、図２に示す無線通信システム１０における各装置の台数は、一例であって、１台でもよいし複数台でもよい。例えば、ＭＭＥ４００についても、複数台のＭＭＥ４００があってもよく、その場合、各ＭＭＥ４００に１又は複数のＨｅＮＢ、ｅＮＢ、及びＨｅＮＢ  ＧＷなどが接続されてもよい。
【００４１】
また、以下において、とくに断らない限り、ＨｅＮＢ１００−１，１００−２をＨｅＮＢ１００、ＵＥ２００−１，２００−２をＵＥ２００と称する場合がある。
【００４２】
＜ＨｅＮＢ  ＧＷ３００におけるＵＥＩＤの再配置について＞
次に、ＨｅＮＢ  ＧＷ３００で行われるＵＥＩＤの再配置について説明する。図３及び図４は再配置の例を表している。
【００４３】
図３に示すように、ＨｅＮＢ１００はＵＥＩＤを生成する（又は払い出す）場合がある。ＨｅＮＢ１００が払い出すＵＥＩＤは、例えば、「ｅＮＢ  Ｓ１ＡＰ  ＵＥＩＤ」（又は「ｅＮＢ  ＵＥ  Ｓ１ＡＰ  ＩＤ」。以下では、「ｅＮＢ  Ｓ１ＡＰ  ＵＥＩＤ」と称する場合がある）がある。
【００４４】
「ｅＮＢ  Ｓ１ＡＰ  ＵＥＩＤ」は、例えば、Ｓ１ＡＰインタフェース上、ＨｅＮＢ１００においてＵＥ２００を識別するためにＨｅＮＢ１００において割り当てられる識別情報である。「ｅＮＢ  Ｓ１ＡＰ  ＵＥＩＤ」は、例えば、ＨｅＮＢ１００からＭＭＥ４００へ送信され、ＭＭＥ４００においては、このＵＥＩＤを用いてＳ１ＡＰシグナリングを行う。
【００４５】
しかし、例えば、ＨｅＮＢ１００−１とＨｅＮＢ１００−２は、あるＵＥ２００に対して同一の（又は重複した）「ｅＮＢ  Ｓ１ＡＰ  ＵＥＩＤ」を生成して、ＭＭＥ４００へ向けて送信する場合がある。例えば、ＵＥ２００がＨｅＮＢ１００−１に接続後、ハンドオーバにより、ＨｅＮＢ１００−２に接続を切り替えた場合などである。同一の「ｅＮＢ  Ｓ１ＡＰ  ＵＥＩＤ」を受信したＭＭＥ４００は、ＵＥ２００に対してメッセージを送信する場合、ＨｅＮＢ１００−１へ当該メッセージを送信すればよいのか、ＨｅＮＢ１００−２へ送信すればよいのかわからない。
【００４６】
そこで、ＨｅＮＢ  ＧＷ３００はＵＥＩＤの再配置を行う。図３の例では、ＨｅＮＢ  ＧＷ３００は、ＨｅＮＢ１００−１から送信された「ｅＮＢ  Ｓ１ＡＰ  ＵＥＩＤ」（＝「１」）に対して、「ａ」を割り当てる。また、ＨｅＮＢ  ＧＷ３００は、ＨｅＮＢ１００−２から送信された「ｅＮＢ  Ａ１ＡＰ  ＵＥＩＤ」＝「１」に対して、「ｂ」を割り当てる。そして、ＨｅＮＢ１００−１は、受信した「ｅＮＢ  Ａ１ＡＰ  ＵＥＩＤ」を割り当てたＩＤに書き換えて、メッセージを送信する。
【００４７】
このように、ＨｅＮＢ  ＧＷ３００は異なるＵＥＩＤを割り当てることで、例えば、ＭＭＥ４００では、ＵＥ２００の識別とＵＥ２００と接続しているＨｅＮＢ１００の識別が可能となる。このように、ＨｅＮＢ  ＧＷ３００が割り当てるＵＥＩＤを、例えば、「正規化ＵＥＩＤ」と称する場合がある。
【００４８】
図４はＵＥＩＤと正規化ＵＥＩＤの関係例を表している。例えば、ＨｅＮＢ１００−１が払い出した「ｅＮＢ  Ｓ１ＡＰ  ＵＥＩＤ」（＝「１」）は「ａ」に変換され、ＭＭＥ４００へ送信される。
【００４９】
一方、ＭＭＥ４００においても、ＵＥＩＤを生成する（又は払い出す）場合がある。ＭＭＥ４００が払い出すＵＥＩＤは、例えば、「ＭＭＥ  Ｓ１ＡＰ  ＵＥＩＤ」（又は「ＭＭＥ  ＵＥ  Ｓ１ＡＰ  ＩＤ」。以下では、「ＭＭＥ  Ｓ１ＡＰ  ＵＥＩＤ」と称する場合がある）がある。
【００５０】
「ＭＭＥ  Ｓ１ＡＰ  ＵＥＩＤ」は、例えば、Ｓ１ＡＰインタフェース上、ＭＭＥ４００においてＵＥ２００を識別するためにＭＭＥ４００において割り当てられる識別情報である。「ＭＭＥ  Ｓ１ＡＰ  ＵＥＩＤ」は、例えば、ＨｅＮＢ１００へ送信され、ＨｅＮＢ１００ではこのＵＥＩＤを用いてＳ１ＡＰシグナリングを行う。
【００５１】
ＭＭＥ４００は、「ＭＭＥ  Ｓ１ＡＰ  ＵＥＩＤ」の払い出しを行っても、ＵＥ２００の接続がＨｅＮＢ１００−１からＨｅＮＢ１００−２へ変更された場合、当該ＵＥＩＤをＨｅＮＢ１００−１へ送信すればよいのか、ＨｅＮＢ１００−２へ送信すればよいのかわからない。
【００５２】
そこで、ＨｅＮＢ  ＧＷ３００は、ＵＥＩＤの再配置を行う。図４の例では、ＨｅＮＢ  ＧＷ３００は、「ＭＭＥ  Ｓ１ＡＰ  ＵＥＩＤ」＝「２」を、ＨｅＮＢ１００−１へ送信するときは「ａ」に書き換え、ＨｅＮＢ１００−２へ送信するときは「ｂ」に書き換えて、メッセージを送信する。
【００５３】
＜ＭＭＥの減設前と減設後の呼の接続状態について＞
次に、ＭＭＥ４００を減設する場合に減設前後でどのように呼の接続が変更されるかについて説明する。図５（Ａ）は減設前、図５（Ｂ）は減設後の呼の接続状態の例をそれぞれ表している。図５（Ａ）や図５（Ｂ）に示す例では、ＨｅＮＢ（＃１）１００−１はＭＭＥ（＃１）４００−１、ＨｅＮＢ（＃２）１００−２はＭＭＥ（＃２）４００−２、ＨｅＮＢ（＃３）１００−３はＭＭＥ（＃３）４００−３にそれぞれ接続される。
【００５４】
これらの例において、減設対象はＭＭＥ４００−１となっている。図５（Ａ）に示すように、ＵＥ２００は、ＨｅＮＢ１００−１を介して、ＭＭＥ４００−１との間で接続呼が接続される。接続呼は、例えば、ＨｅＮＢ１００−１とＭＭＥ４００−１の間で接続されてもよい。
【００５５】
なお、接続呼（又は呼。以下、「呼」と称する場合がある）は、例えば、接続や経路、或いは呼び出しなどであって、ベアラ又はセッションなどが含まれても良い。
【００５６】
減設対象のＭＭＥ４００−１はＵＥ２００に対する接続呼を収容している。このような状態で、ＨｅＮＢ  ＧＷ３００は、ＨｅＭＳ５００から減設指示を受信すると、ＭＭＥ４００−１に対してハンドオーバ要求（又は接続切替要求）を送信する。このハンドオーバ要求には、接ハンドオーバ先（接続の切替先）としてＨｅＮＢ１００−２のＩＤが含まれる。ＨｅＮＢ１００−２は、ＭＭＥ４００−２に接続されている。ＭＭＥ４００−１は、ハンドオーバ要求を受信すると、ＵＥ２００のハンドオーバ先がＨｅＮＢ１００−２となっているため、ＨｅＮＢ１００−２と接続されたＭＭＥ４００−２へ、接続の切り替えを行う。ＭＭＥ４００を跨ぐ接続の切り替えを、例えば、リロケーション（Relocation）と称する場合がある。リロケーションにより、例えば、ＭＭＥ４００−１に収容されたＵＥ２００に対する接続呼も、ＭＭＥ４００−１からＭＭＥ４００−２へ切り替わる。
【００５７】
この場合、ＨｅＮＢ  ＧＷ３００は、ＨｅＮＢ１００−１に対するオリジナルの接続リソースと、ハンドオーバ先のＭＭＥ４００−２との接続リソースを関連付ける。これにより、例えば、ＨｅＮＢ  ＧＷ３００は、ＨｅＮＢ１００側へハンドオーバに関するメッセージを送信（又は中継）することなく、ＭＭＥ４００−１，４００−２側へハンドオーバに関する応答メッセージなどを返信することが可能となる。その後、ＨｅＮＢ  ＧＷ３００は、ＭＭＥ４００−１に対する接続リソースを解放し、ＭＭＥ４００−１に対する減設が行われる。図５（Ｂ）は呼の切替例を表している。
【００５８】
以上の処理の詳細については動作例において説明する。このように本第２の実施の形態においては、ＭＭＥ４００−１を減設する場合においても、ＨｅＮＢ  ＧＷ３００によって、ＵＥ２００に対する接続呼が移設先のＭＭＥ４００−２へ切り替えられる。従って、本無線通信システム１０では、呼を切断しなくてもよくなり、ＵＥ２００に対してサービスの提供を継続させることが可能となる。
【００５９】
以降では、無線通信システム１０における各装置の構成例について説明する。
【００６０】
＜ＨｅＮＢ  ＧＷ３００の構成例＞
図６は、ＨｅＮＢ  ＧＷ３００の構成例を含む無線通信システム１０の構成例を表している。
【００６１】
なお、図６においては、Ｓｏｕｒｃｅ  ＭＭＥ４００−１とＴａｒｇｅｔ  ＭＭＥ４００−２が無線通信システム１０に接続される。例えば、Ｓｏｕｒｃｅ  ＭＭＥ４００−１は減設対象のＭＭＥ、Ｔａｒｇｅｔ  ＭＭＥ４００−２は移設先のＭＭＥとなっている。例えば、Ｓｏｕｒｃｅ  ＭＭＥ４００−１はＨｅＮＢ１００−１を制御し、Ｔａｒｇｅｔ  ＭＭＥ４００−２はＨｅＮＢ１００−２を制御する。
【００６２】
また、Ｓｏｕｒｃｅ  ＭＭＥ４００−１にはＳｏｕｒｃｅ  ＳＧＷ６００−１、Ｔａｒｇｅｔ  ＭＭＥ４００−２にはＴａｒｇｅｔ  ＳＧＷ６００−２が接続される。ただし、Ｓｏｕｒｃｅ  ＳＧＷ６００−１とＴａｒｇｅｔ  ＳＧＷ６００−２は、例えば、１つのＳＧＷ６００として無線通信システム１０に接続されてもよい。
【００６３】
ＨｅＮＢ  ＧＷ３００は、伝送路インタフェース３１０、Ｌ２ＳＷ（Layer 2 Switch）３２０、ＣＰＵ（Central Processing Unit）３３０、及びメモリ３４０を備える。
【００６４】
伝送路インタフェース３１０は、例えば、ＨｅＮＢ１００−１，１００−２やＭＭＥ４００−１，４００−２との間で、Ｓ１ＡＰを用いたメッセージを交換する。この場合、伝送路インタフェース３１０は、ＨｅＮＢ１００−１，１００−２やＭＭＥ４００−１，４００−２から送信されたＳ１ＡＰによるメッセージを受信し、受信したメッセージからデータや信号などを抽出して、Ｌ２ＳＷ３２０へ出力する。また、伝送路インタフェース３１０は、Ｌ２ＳＷ３２０から出力されたデータや信号などを受け取り、受け取ったデータや信号などを含むＡ１ＡＰによるメッセージを生成して、ＨｅＮＢ１００−１，１００−２やＭＭＥ４００−１，４００−２へ送信する。
【００６５】
また、伝送路インタフェース３１０は、ＨｅＭＳ５００との間で、ＴＲ−０６９プロトコルを利用してメッセージを交換する。なお、ＴＲ−０６９プロトコルは、例えば、ブロードバンドフォーラムにおいて標準化され、エンドユーザの遠隔管理のためのアプリケーション層のプロトコルである。
【００６６】
Ｌ２ＳＷ３２０は、例えば、ＯＳＩ（Open System Interconnection）参照モデルのレイヤ２（データリンク層）に関するデータなどを、ＣＰＵ３３０と伝送路インタフェース３１０の間でスイッチング（又は交換）する。
【００６７】
ＣＰＵ３３０は、例えば、メッセージの生成や終端の指示、接続リソースの管理など、種々の処理や機能を実行する。その詳細は動作例で説明する。なお、ＣＰＵ３３０は、例えば、メモリ３４０に記憶されたプログラムを読み出して実行することで、このような種々の処理や機能を実行してもよい。
【００６８】
メモリ３４０は、例えば、再配置に関するテーブルや呼の接続情報に関するテーブルなどを記憶する。このようなテーブルはＭＭＥ４００の減設の際に利用される。テーブルの詳細は後述する。また、メモリ３４０は、例えば、ＣＰＵ３３０が処理を実行する際のワーキングメモリとしての役割を果たしてもよい。
【００６９】
ＨｅＮＢ  ＧＷ３００は、図６に示すように、複数のＨｅＮＢ１００−１，１００−２や複数のＭＭＥ４００−１，４００−２とメッセージを交換することが可能となっている。
【００７０】
＜ＵＥ２００とＨｅＮＢ１００の構成例＞
図７（Ａ）はＵＥ２００の構成例を表している。ＵＥ２００は、アンテナ２０１、無線インタフェース２１０、ＣＰＵ２２０、及びメモリ２３０を備える。
【００７１】
無線インタフェース２１０は、アンテナ２０１を介してＨｅＮＢ１００から受信した無線信号からデータなどを抽出し、抽出したデータなどをＣＰＵ２２０へ出力する。また、無線インタフェース２１０は、ＣＰＵ２２０から受け取ったデータなどを無線信号に変換し、変換後の無線信号を、アンテナ２０１を介してＨｅＮＢ１００へ送信する。
【００７２】
ＣＰＵ２２０は、ＵＥ２００において各種処理を行う。例えば、ＣＰＵ２２０は、無線インタフェース２１０から受け取ったデータなどに対して、種々の処理を行うことで、スピーカから音声を出力させたり、モニタに映像や文字を表示させたりする。また、ＣＰＵ２２０は、例えば、マイクから音声が入力されたり、モニタから文字などが入力されたりすると、これらの音声や文字などに対して種々の処理を行い、データとして無線インタフェース２１０へ出力する。なお、ＣＰＵ２２０は、メモリ２３０に記憶されたプログラムを読み出して、当該プログラムを実行することで、種々の処理を行ってもよい。
【００７３】
図７（Ｂ）はＨｅＮＢ１００の構成例を表している。ＨｅＮＢ１００は、アンテナ１０１、無線インタフェース１１０、伝送路インタフェース１２０、ＣＰＵ１４０、及びメモリ１５０を備える。
【００７４】
無線インタフェース１１０は、アンテナ１０１を介してＵＥ２００から受信した無線信号からデータなどを抽出し、抽出したデータなどをＣＰＵ１４０へ出力する。また、無線インタフェース１１０は、ＣＰＵ１４０から出力されたデータなどを無線信号に変換し、変換後の無線信号を、アンテナ１０１を介してＵＥ２００へ送信する。
【００７５】
伝送路インタフェース１２０は、例えば、ＨｅＮＢ  ＧＷ３００との間でＳ１ＡＰを用いたメッセージを交換する。例えば、伝送路インタフェース１２０は、ＨｅＮＢ  ＧＷ３００から送信されたメッセージを受信すると、当該メッセージからデータなどを抽出してＣＰＵ１４０へ出力する。また、伝送路インタフェース１２０は、ＣＰＵ１４０から出力されたデータなどを受け取り、受け取ったデータなどを含むメッセージを生成してＨｅＮＢ  ＧＷ３００へ送信する。
【００７６】
Ｌ２ＳＷ１３０は、例えば、レイヤ２（データリンク層）に関するデータなどを、ＣＰＵ１４０と伝送路インタフェース１２０の間でスイッチング（又は交換）する。
【００７７】
ＣＰＵ１４０は、メッセージの生成や終端の指示、無線に関する処理など、ＨｅＮＢ１００において種々の処理を行う。ＣＰＵ１４０は、例えば、メモリ１５０に記憶されたプログラムを読み出して実行することで、このような種々の処理を行うようにしてもよい。
【００７８】
なお、図７（Ｂ）に示すＨｅＮＢ１００は、例えば、マクロ基地局であるｅＮＢ１００−５〜１００−７の構成例であってもよい。この場合、伝送路インタフェース１２０は、例えば、ＭＭＥ４００との間でＳ１ＡＰを利用してメッセージを交換する。
【００７９】
＜ＭＭＥ４００の構成例＞
図８はＭＭＥ４００の構成例を表している。ＭＭＥ４００は、伝送路インタフェース４１０、ＣＰＵ４３０、及びメモリ４４０を備える。
【００８０】
伝送路インタフェース４１０は、例えば、ＨｅＮＢ  ＧＷ３００やｅＮＢ１００−５〜１００−７との間でＳ１ＡＰを利用してメッセージを交換する。例えば、伝送路インタフェース４１０は、ＨｅＮＢ  ＧＷ３００やｅＮＢ１００−５〜１００−７から送信されたメッセージを受信し、受信したメッセージに含まれる信号などを抽出してＣＰＵ４３０へ出力する。また、伝送路インタフェース４１０は、ＣＰＵ４３０から出力された信号などを受け取り、受け取った信号などを含むメッセージを生成して、ＨｅＮＢ  ＧＷ３００やｅＮＢ１００−５〜１００−７へ送信する。
【００８１】
ＣＰＵ４３０は、例えば、メッセージの生成や終端の指示、Ｃ−Ｐｌａｎｅに関する処理など、ＭＭＥ４００における種々の処理を実行する。ＣＰＵ４３０は、例えば、メモリ４４０に記憶されたプログラムを読み出して実行することで、ＭＭＥ４００における種々の処理を実行してもよい。
【００８２】
＜ＨｅＮＢ  ＧＷ３００の他の構成例＞
図９はＨｅＮＢ  ＧＷ３００の他の構成例を含む無線通信システム１０の構成例を表している。ＨｅＮＢ  ＧＷ３００は、ＩＦ（Interface）処理部（又はインタフェース処理部）３５０、演算処理部３６０、及びデータ記憶部３７０を備える。
【００８３】
なお、ＩＦ処理部３５０は、例えば、第１の実施の形態におけるインタフェース処理部３５０に対応する。また、演算処理部３６０は、例えば、第１の実施の形態における演算処理部３６０に対応する。
【００８４】
ＩＦ処理部３５０は、ＨｅＮＢ１００やＭＭＥ４００に対して、例えば、Ｓ１ＡＰを利用したメッセージを交換する。また、ＩＦ処理部３５０は、例えば、ＴＲ−０６９プロトコルを利用してＨｅＭＳ５００からメッセージを受信する。当該メッセージは、例えば、ＭＭＥ４００−１に対する減設指示などが含まれてよい。ＩＦ処理部３５０は、例えば、伝送路インタフェース３１０とＬ２ＳＷ３２０（例えば図６）に対応する。
【００８５】
演算処理部３６０は、例えば、ＭＭＥ４００を減設する際に種々の処理を行う。演算処理部３６０は、例えば、ＣＰＵ３３０（例えば図６）に対応する。演算処理部３６０で行われる処理の詳細は動作例で説明する。
【００８６】
データ記憶部３７０は、例えば、演算処理部３６０において処理を行う際にデータなどを記憶する。また、データ記憶部３７０は、例えば、再配置に関するテーブルや呼の接続情報に関するテーブルなどを記憶する。データ記憶部３７０は、例えば、メモリ３４０（例えば図６）に対応する。
【００８７】
＜データ記憶部３７０に記憶されるテーブルの例＞
図１０（Ａ）から図１１（Ｄ）は、データ記憶部３７０に記憶されるテーブルの例を表している。これらのテーブルは、ＨｅＮＢ  ＧＷ３００において、ＭＭＥ４００の減設処理の際に利用される。
【００８８】
図１０（Ａ）は正規化ＵＥＩＤ使用可否テーブル（以下、「使用可否テーブル」と称する場合がある）３７１の例を表している。使用可否テーブル３７１は、例えば、ＵＥＩＤの再配置の際に払い出される「正規化ＵＥＩＤ」を管理するテーブルである。ＨｅＮＢ  ＧＷ３００はＵＥＩＤの再配置の際に割り当てる（又は払い出す）「正規化ＵＥＩＤ」を予め使用可否テーブル３７１に記憶する。そして、ＨｅＮＢ  ＧＷ３００は、「未使用」となっている「正規化ＵＥＩＤ」の中からいずれかを選択し、「使用可否」の項目を「使用中」に書き換えて、「正規化ＵＥＩＤ」の払い出しを行う。
【００８９】
図１０（Ａ）の例では、「正規化ＵＥＩＤ」として「ａ」が払い出されて「使用中」となっており、それ以外の「正規化ＵＥＩＤ」は「未使用」となっていることを表している。例えば、演算処理部３６０により、使用可否テーブル３７１に対する処理が行われてもよい。
【００９０】
図１０（Ｂ）は、Ｓ１ＡＰ  ＵＥＩＤ再配置管理テーブル（以下、「再配置管理テーブル」と称する場合がある）３７２の例を表している。再配置管理テーブル３７２は、例えば、ＨｅＮＢ  ＧＷ３００が２つのＵＥＩＤ（「ｅＮＢ  Ｓ１ＡＰ  ＵＥＩＤ」と「ＭＭＥ  Ｓ１ＡＰ  ＵＥＩＤ」）の再配置の際に情報を管理するテーブルである。図１０（Ｂ）に示すように、「正規化ＵＥＩＤ」と「ｅＮＢ  Ｓ１ＡＰ  ＵＥＩＤ」、「ＭＭＥ  Ｓ１ＡＰ  ＵＥＩＤ」を１つのセットとし、ＵＥ２００に対する１つの呼に対して１つのセットが作成される。例えば、ＨｅＮＢ  ＧＷ３００に対してｎ（ｎは１以上の整数）台のＵＥ２００が接続される場合、ｎセットが作成される。
【００９１】
図１０（Ｂ）の例では、あるＵＥ２００に対して、「正規化ＵＥＩＤ」として「ａ」が払い出され、「ｅＮＢ  Ｓ１ＡＰ  ＵＥＩＤ」（＝「１」）と「ＭＭＥ  Ｓ１ＡＰ  ＵＥＩＤ」（＝「１」）で、１つのセットとなっている例を表している。
【００９２】
図１１（Ａ）は、ＭＭＥ／ＨｅＮＢ接続情報管理テーブル（以下、「ＨｅＮＢ接続情報管理テーブル」と称する場合がある）３７３の例を表している。ＨｅＮＢ接続情報管理テーブル３７３は、例えば、ＭＭＥ４００とＨｅＮＢ１００との接続関係を管理するテーブルである。ＨｅＮＢ接続情報管理テーブル３７３は、例えば、ＨｅＮＢ１００などが設置される際に予めデータ記憶部３７０に記憶される。
【００９３】
図１１（Ａ）の例では、ＭＭＥ＃１（４００−１）はＨｅＮＢ＃１（１００−１）、ＭＭＥ＃２（４００−２）はＨｅＮＢ＃２（１００−２）、ＭＭＥ＃３（４００−３）はＨｅＮＢ＃３（１００−３）にそれぞれ接続される例を表している。
【００９４】
図１１（Ｂ）は、呼接続情報管理テーブル３７４の例を表している。呼接続情報管理テーブル３７４は、例えば、ＭＭＥ４００に呼接続しているＵＥ２００を管理するためのテーブルである。呼接続情報管理テーブル３７４は、例えば、ＵＥ２００がＭＭＥ４００に呼接続した場合に適宜更新される。「配下のＨｅＮＢのＵＥＩＤ」には、例えば、各ＭＭＥ４００配下のＨｅＮＢ１００経由で呼接続しているＵＥ２００の「ｅＮＢ  Ｓ１ＡＰ  ＵＥＩＤ」が記憶される。なお、「ＭＭＥ名」の各項目には、各ＭＭＥ４００の識別情報が記憶されてもよい。
【００９５】
図１１（Ｂ）の例では、ＭＭＥ＃１（４００−１）配下のＨｅＮＢ１００に対して、ＵＥＩＤ＃１（＝「ｅＮＢ  Ｓ１ＡＰ  ＵＥＩＤ」）を示すＵＥ２００が呼接続していることを示している。
【００９６】
図１１（Ｃ）は、ＭＭＥ４００のＲＭＣ（Relative MME Capacity）記憶テーブル（以下、「ＲＭＣ記憶テーブル」と称する場合がある）３７５の例を表している。ＲＭＣ記憶テーブル３７５は、例えば、ＭＭＥ４００毎にＲＭＣの数値が記憶される。ＲＭＣの数値は、例えば、接続されるＭＭＥ４００が決定される際の優先度として利用される。
【００９７】
図１１（Ｃ）の例では、ＭＭＥ＃１（４００−１）が最も高いＲＭＣの数値となっているため、ＭＭＥ＃１（４００−１）が最も優先度が高くなっている。例えば、ＭＭＥ＃１（４００−１）が減設対象のときは、ＭＭＥ＃１（４００−１）以外で最もＲＭＣの数値が高いＭＭＥ＃２（４００−２）が接続対象のＭＭＥ４００となる。
【００９８】
図１１（Ｄ）は、特殊ＨＯ（Handover）実施中フラグ３７６の例を表している。特殊ＨＯ実施中フラグは、例えば、ＨｅＮＢ  ＧＷ３００とＭＭＥ４００の間でハンドオーバ中であることを示すフラグが記憶される。例えば、図５（Ｂ）で説明したように、ＨｅＮＢ  ＧＷ３００はＭＭＥ４００側に対してハンドオーバに関するメッセージを交換し、ＵＥ２００側に対してはハンドオーバに関するメッセージを交換しない。このようなハンドオーバを、例えば、「特殊ＨＯ」と称する場合がある。ＨｅＮＢ  ＧＷ３００は、例えば、特殊ＨＯ実施中フラグ３７６を利用して、ハンドオーバに関するメッセージを交換したり或いは交換しなかったりすることが可能となる。
【００９９】
＜動作例＞
次に動作例について説明する。動作例については以下の順番で説明する。最初にＭＭＥ４００の減設前のシーケンス例について説明する。次に、ＭＭＥ４００の減設の際のシーケンス例について説明する。
【０１００】
＜１．減設前シーケンス例＞
図１２は減設前シーケンス、図１３（Ａ）〜図１３（Ｃ）は再配置管理テーブル３７２、図１４（Ａ）〜図１４（Ｃ）は呼接続情報管理テーブル３７４の例をそれぞれ表している。
【０１０１】
図１２に示すシーケンス例は、例えば、ＵＥ２００が無線通信システム１０への接続を開始後、呼接続状態になるまでのシーケンス例を表している。なお、図１２に示す減設前シーケンスにおける各処理は、例えば、各装置のＣＰＵ１４０，２２０，３３０，４３０や演算処理部３６０などで行われてもよい。
【０１０２】
ＵＥ２００は、例えば、ＨｅＮＢ１００のカバレッジ範囲内で電源をオンにすると、ＨｅＮＢ１００との間でネットワークへの登録又は接続に関するメッセージを交換する（Ｓ１０〜Ｓ１２）。
【０１０３】
ＨｅＮＢ１００は、当該メッセージを交換後、ＵＥ２００に対する「ｅＮＢ  Ｓ１ＡＰ  ＵＥＩＤ」を払い出し、当該ＵＥＩＤを含むＩｎｉｔｉａｌ  ＵＥ  ＭｅｓｓａｇｅをＨｅＮＢ  ＧＷ３００へ送信する（Ｓ１３）。
【０１０４】
次に、ＨｅＮＢ  ＧＷ３００は、ＵＥＩＤの再配置を行う（Ｓ１４）。ＨｅＮＢ  ＧＷ３００は、例えば、以下の処理を行う。すなわち、演算処理部３６０は、ＩＦ処理部３５０を介して受信したＩｎｉｔｉａｌ  ＵＥ  Ｍｅｓｓａｇｅから「ｅＮＢ  Ｓ１ＡＰ  ＵＥＩＤ」を抽出して、データ記憶部３７０の再配置管理テーブル３７２に記憶する。そして、演算処理部３６０は、使用可否テーブル３７１を用いて正規化ＵＥＩＤを払い出す。更に、演算処理部３６０は、Ｉｎｉｔｉａｌ  ＵＥ  Ｍｅｓｓａｇｅに含まれる「ｅＮＢ  Ｓ１ＡＰ  ＵＥＩＤ」を正規化ＵＥＩＤに書き換える。
【０１０５】
図１３（Ａ）はＳ１４の処理終了後における再配置管理テーブル３７２、図１４（Ａ）はＳ１４の処理終了後における呼接続情報管理テーブル３７４の例をそれぞれ表している。図１３（Ａ）に示すように、ＨｅＮＢ＃１（１００−１）で払い出された「ｅＮＢ  Ｓ１ＡＰ  ＵＥＩＤ」＝「１」と、ＨｅＮＢ  ＧＷ３００で払い出された正規化ＵＥＩＤ＝「ａ」が再配置管理テーブル３７２に記憶される。なお、ＨｅＮＢ  ＧＷ３００は、Ｓ１４の処理終了段階ではＭＭＥ４００からメッセージなどを受信していないので、呼接続情報管理テーブル３７４にはＵＥＩＤなどは記憶されていない。
【０１０６】
図１２に戻り、次に、ＨｅＮＢ  ＧＷ３００は、「ｅＮＢ  Ｓ１ＡＰ  ＵＥＩＤ」を正規化ＵＥＩＤに書き換えたＩｎｉｔｉａｌ  ＵＥ  ＭｅｓｓａｇｅをＭＭＥ４００へ送信する（Ｓ１５）。例えば、演算処理部３６０は、正規化ＵＥＩＤに書き換えたＩｎｉｔｉａｌ  ＵＥ  ＭｅｓｓａｇｅをＭＭＥ４００へ送信するようＩＦ処理部３５０に指示し、ＩＦ処理部３５０は当該メッセージをＭＭＥ４００へ送信する。
【０１０７】
ＭＭＥ４００は、Ｉｎｉｔｉａｌ  ＵＥ  Ｍｅｓｓａｇｅを受信すると、「ＭＭＥ  Ｓ１ＡＰ  ＵＥＩＤ」を払い出し、当該ＵＥＩＤを含むＡｕｔｈｅｎｔｉｃａｔｉｏｎ  ＲｅｑｕｓｔをＨｅＮＢ  ＧＷ３００へ送信する（Ｓ１６）。
【０１０８】
次に、ＨｅＮＢ  ＧＷ３００は、ＵＥＩＤの再配置を行う（Ｓ１７）。ＨｅＮＢ  ＧＷ３００は、例えば、以下の処理を行う。すなわち、演算処理部３６０は、ＩＦ処理部３５０を介して受信したＡｕｔｈｅｎｔｉｃａｔｉｏｎ  Ｒｅｑｕｓｔから「ＭＭＥ  Ｓ１ＡＰ  ＵＥＩＤ」を抽出して、再配置管理テーブル３７２に記憶する。そして、演算処理部３６０は、Ａｕｔｈｅｎｔｉｃａｔｉｏｎ  Ｒｅｑｕｓｔに含まれる「ＭＭＥ  Ｓ１ＡＰ  ＵＥＩＤ」を、再配置管理テーブル３７２に記憶されている正規化ＵＥＩＤに書き換える。さらに、演算処理部３６０は、ＭＭＥ４００からの当該メッセージを受けて、呼接続したＨｅＮＢ１００の情報を呼接続情報管理テーブル３７４に記憶する。
【０１０９】
図１３（Ｂ）はＳ１７の処理終了後における再配置管理テーブル３７２、図１４（Ｂ）はＳ１７の処理終了後における呼接続情報管理テーブル３７４の例をそれぞれ表している。図１４（Ｂ）に示すように、呼接続情報管理テーブル３７４には、ＭＭＥ＃１（４００−１）の項目に対して、ＵＥ＃１（２００−１）の「ｅＮＢ  Ｓ１ＡＰ  ＵＥＩＤ」が記憶される。
【０１１０】
図１２に戻り、次に、ＨｅＮＢ  ＧＷ３００は、正規化ＵＥＩＤに書き換えたＡｕｔｈｅｎｔｉｃａｔｉｏｎ  ＲｅｑｕｓｔをＨｅＮＢ１００へ送信する（Ｓ１８）。例えば、演算処理部３６０は、正規化ＵＥＩＤに書き換えたＡｕｔｈｅｎｔｉｃａｔｉｏｎ  ＲｅｑｕｓｔをＨｅＮＢ１００へ送信するようＩＦ処理部３５０に指示し、ＩＦ処理部３５０は当該指示に従って当該メッセージをＨｅＮＢ１００へ送信する。
【０１１１】
次に、ＨｅＮＢ１００はＵＥ２００へＡｕｔｈｅｎｔｉｃａｔｉｏｎ  Ｒｅｑｕｓｔを送信する（Ｓ１９）。
【０１１２】
そして、ＵＥ２００とＭＭＥ４００の間では呼が接続された状態となる（Ｓ２０）。図１３（Ｃ）は呼接続状態における再配置管理テーブル３７２の例、図１４（Ｃ）は呼接続状態における呼接続情報管理テーブル３７４の例をそれぞれ表している。
【０１１３】
減設前のシーケンス例（例えば図１２）が終了すると、無線通信システム１０においては、減設の際のシーケンス例（例えば図１５と図１６）が行われる。
【０１１４】
＜２．減設の際のシーケンス例＞
次に、ＭＭＥ４００を減設する際の全体のシーケンス例について説明する。図１５と図１６は当該シーケンス例を表している。
【０１１５】
当該シーケンス例には、図１５と図１６に示すように、全部で６つの処理フローが含まれる。すなわち、Ｔａｒｇｅｔ  ＨｅＮＢ選択処理フロー（フローＮｏ．１）、Ｈａｎｄｏｖｅｒ  Ｒｅｑｕｅｓｔ受信処理フロー（フローＮｏ．２）、Ｈａｎｄｏｖｅｒ  Ｃｏｍｍａｎｄ受信処理フロー（フローＮｏ．３）がある。さらに、ｅＮＢ Ｓｔａｔｕｓ  Ｔｒａｎｓｆｅｒ受信処理フロー（フローＮｏ．４）、ＵＥ  Ｃｏｎｔｅｘｔ  Ｒｅｌｅａｓｅ  Ｃｏｍｍａｎｄ受信処理フロー（フローＮｏ．５）、及び全体の繰り返しフロー（フローＮｏ．６）がある。
【０１１６】
以下、各処理フローを順番に説明しながら、全体のシーケンス例を説明する。なお、本シーケンス例が開始されるときは、再配置管理テーブル３７２と呼接続情報管理テーブル３７４はそれぞれ図１３（Ｃ）と図１４（Ｃ）の状態となっている。また、ＨｅＮＢ接続情報管理テーブル３７３は、例えば、図１１（Ａ）に示す状態となっている。さらに、使用可否テーブル３７１、ＲＭＣ記憶テーブル３７５も、例えば、それぞれ図１１（Ａ）と図１２（Ｃ）に示す状態となっている。
【０１１７】
なお、本シーケンス例において、減設対象のＳｏｕｒｃｅ  ＭＭＥはＭＭＥ４００−１、移設先のＴａｒｇｅｔ  ＭＭＥ４００−２である。また、Ｓｏｕｒｃｅ  ＭＭＥ４００−１はＳｏｕｒｃｅ  ＳＧＷ６００−１に接続され、Ｔａｒｇｅｔ  ＭＭＥ４００−２はＴａｒｇｅｔ  ＳＧＷ６００−２に接続される。
【０１１８】
さらに、図１５及び図１６に示す減設の際のシーケンスにおける各処理は、例えば、各装置のＣＰＵ１４０，２２０，３３０，４３０や演算処理部３６０などで行われてもよい。また、フローＮｏ．１からフローＮｏ．６の処理は、例えば、ＨｅＮＢ  ＧＷ３００の演算処理部３６０で行われてもよい。
【０１１９】
＜２．１  Ｔａｒｇｅｔ  ＨｅＮＢ選択処理フロー（フローＮｏ．１）＞
図１５に示すように、ＨｅＭＳ５００はＭＭＥ減設指示をＨｅＮＢ  ＧＷ３００へ送信する（Ｓ３０）。ＭＭＥ減設指示には、例えば、減設対象のＭＭＥ４００−１の識別情報が含まれる。
【０１２０】
図１７は、Ｔａｒｇｅｔ  ＨｅＮＢ選択処理フローの例を表している。
【０１２１】
ＨｅＮＢ  ＧＷ３００は処理を開始すると（Ｓ３００）、ＨｅＭＳ５００からＭＭＥ減設指示を受信する（Ｓ３０１（図１５のＳ３０））。
【０１２２】
次に、ＨｅＮＢ  ＧＷ３００は、減設対象ＭＭＥ４００−１に接続される呼の有無を確認する（Ｓ３０２（図１５のＳ３１））。例えば、演算処理部３６０は、呼接続情報管理テーブル３７４にアクセスして、ＭＭＥの減設指示に含まれるＭＭＥ４００−１に対して、「配下のＨｅＮＢのＵＥＩＤ」にＵＥＩＤが記憶されているか否かを確認する。
【０１２３】
次に、ＨｅＮＢ  ＧＷ３００は当該呼が有れば（Ｓ３０３でＹＥＳ）、特殊ＨＯ実施中フラグに「ＯＮ」を記憶する（Ｓ３０４）。例えば、演算処理部３６０は呼接続情報管理テーブル３７４において、減設対象ＭＭＥ４００−１にＵＥＩＤが記憶されていれば、特殊ＨＯ実施中フラグ３７６に「ＯＮ」を記憶する。
【０１２４】
次に、ＨｅＮＢ  ＧＷ３００は、ＲＭＣ記憶テーブル３７５に基づいて、減設対象ＭＭＥ４００−１以外の移設先のＭＭＥ４００を選択する（Ｓ３０５（図１５のＳ３２））。例えば、演算処理部３６０は、ＲＭＣ記憶テーブル３７５に記憶されたＲＭＣの数値のうち、ＭＭＥ４００−１以外で最も数値の高いＭＭＥ＃２（４００−２）を移設先のＭＭＥ４００として選択する。例えば、演算処理部３６０は、ＲＭＣの数値に基づいて移設先のＭＭＥ４００と選択してよく、ＲＭＣの数値が最も低いＭＭＥ４００や、閾値以上や以下のＭＭＥ４００でもよいし、ランダムにいずれかを選択してもよい。
【０１２５】
次に、ＨｅＮＢ  ＧＷ３００は、ＨｅＮＢ接続情報管理テーブル３７３に基づいて、選択した移設先ＭＭＥ４００−２と接続されるＨｅＮＢ１００を特定する（Ｓ３０６（図１５のＳ３３））。例えば、演算処理部３６０は、ＨｅＮＢ接続情報管理テーブル３７３に基づいて、移設先ＭＭＥ４００−２に接続されるＨｅＮＢ１００−２を特定する。
【０１２６】
次に、ＨｅＮＢ  ＧＷ３００は、特定したＴａｒｇｅｔ  ＨｅＮＢ１００−２のｅＮＢ  ＩＤを、Ｈａｎｄｏｖｅｒ  ＲｅｑｕｉｒｅｄのＴａｒｇｅｔ  ｅＮＢ  ＩＤに設定する（Ｓ３０７）。例えば、演算処理部３６０は、特定したＨｅＮＢ１００−２のｅＮＢ  ＩＤを、ハンドオーバ先のＨｅＮＢのｅＮＢ  ＩＤとして含むＨａｎｄｏｖｅｒ  Ｒｅｑｕｉｒｅｄを生成する。Ｈａｎｄｏｖｅｒ  Ｒｅｑｕｉｒｅｄは、例えば、ハンドオーバ要求メッセージの一例である。
【０１２７】
次に、ＨｅＮＢ  ＧＷ３００は、Ｓｏｕｒｃｅ  ＭＭＥ４００−１へＨａｎｄｏｖｅｒ  Ｒｅｑｕｉｒｅｄメッセージを送信する（Ｓ３０８（図１５のＳ３４））。例えば、演算処理部３６０は、減設対象ＭＭＥ４００−１へハンドオーバ要求メッセージを送信するようＩＦ処理部３５０へ指示し、ＩＦ処理部３５０は当該メッセージをＭＭＥ４００−１へ送信する。
【０１２８】
そして、ＨｅＮＢ  ＧＷ３００はＴａｒｇｅｔ  ＨｅＮＢ選択処理フローを終了する（Ｓ３０９）。
【０１２９】
一方、ＨｅＮＢ  ＧＷ３００は、減設対象ＭＭＥ４００−１に接続される呼が無いとき（Ｓ３０３でＮＯ）、既存処理を行う（Ｓ３１０）。例えば、ＨｅＮＢ  ＧＷ３００はＳ３０４からＳ３０７の処理を行うことなく、ＭＭＥ４００−１に対する減設の処理を行う。
【０１３０】
そして、ＨｅＮＢ  ＧＷ３００はＴａｒｇｅｔ  ＨｅＮＢ選択処理フローを終了する（Ｓ３０９）。
【０１３１】
図１５に示すように、Ｓｏｕｒｃｅ  ＭＭＥ４００−１は、Ｈａｎｄｏｖｅｒ  Ｒｅｑｕｉｒｅｄを受信すると（Ｓ３４）、Ｔａｒｇｅｔ  ＭＭＥ４００−２へ、Ｆｏｒｗａｒｄ  Ｒｅｌｏｃａｔｉｎｇ  Ｒｅｑｕｅｓｔを送信する（Ｓ３５）。例えば、以下の処理が行われてもよい。すなわち、Ｓｏｕｒｃｅ  ＭＭＥ４００−１は、ＨｅＮＢ接続情報管理テーブル３７３（例えば図１１（Ａ））に示すようなＭＭＥ４００とＨｅＮＢ１００の接続関係を示すテーブルを保持する。そして、Ｓｏｕｒｃｅ  ＭＭＥ４００−１は、Ｈａｎｄｏｖｅｒ  Ｒｅｑｕｉｒｅｄに含まれるＴａｒｇｅｔ  ＨｅＮＢ１００−２のｅＮＢ  ＩＤに基づいて、当該テーブルから、Ｔａｒｇｅｔ  ＨｅＮＢ１００−２に接続されたＭＭＥ４００−２を特定する。そして、Ｓｏｕｒｃｅ  ＭＭＥ４００−１は特定したＭＭＥ４００−２へリロケーション要求を送信する。これにより、例えば、ＭＭＥ４００−１からＭＭＥ４００−２へＭＭＥ４００を跨ぐリロケーションの実行が可能となる。
【０１３２】
次に、Ｔａｒｇｅｔ  ＭＭＥ４００−２は、Ｔａｒｇｅｔ  ＳＧＷ６００−２とセッションの生成に関するメッセージを交換し（Ｓ３６）、Ｈａｎｄｏｖｅｒ  ＲｅｑｕｅｓｔをＨｅＮＢ  ＧＷ３００へ送信する（Ｓ３７）。
【０１３３】
ＨｅＮＢ  ＧＷ３００は、例えば、Ｈａｎｄｏｖｅｒ  Ｒｅｑｕｓｔを受信すると、Ｈａｎｄｏｖｅｒ  Ｒｅｑｕｅｓｔ受信処理フロー（フローＮｏ．２）を実行する。
【０１３４】
＜２．２  Ｈａｎｄｏｖｅｒ  Ｒｅｑｕｅｓｔ受信処理フロー（フローＮｏ．２）＞
図１８はＨａｎｄｏｖｅｒ  Ｒｅｑｕｅｓｔ受信処理フローの例を表している。
【０１３５】
ＨｅＮＢ  ＧＷ３００は、処理を開始すると（Ｓ３７０）、Ｔａｒｇｅｔ  ＭＭＥからＨａｎｄｏｖｅｒ  Ｒｅｑｕｅｓｔを受信する（Ｓ３７１（図１５のＳ３７，Ｓ３８））。
【０１３６】
次に、ＨｅＮＢ  ＧＷ３００は、受信したＨａｎｄｏｖｅｒ  Ｒｅｑｕｅｓｔの処理結果がＯＫか否かを判別する（Ｓ３７２）。例えば、演算処理部３６０は、Ｈａｎｄｏｖｅｒ  Ｒｅｑｕｅｓｔの送信元が、移設先のＭＭＥ４００−２であるか否かを判別してもよい。Ｈａｎｄｏｖｅｒ  Ｒｅｑｕｅｓｔが、例えば、移設先のＭＭＥ４００−２からではなく、予想もしないＭＭＥ４００から送信される場合もあるからである。演算処理部３６０は、例えば、Ｈａｎｄｏｖｅｒ  Ｒｅｑｕｅｓｔに含まれるそれ以外のパラメータに基づいて、Ｈａｎｄｏｖｅｒ  Ｒｅｑｕｅｓｔを正常に受信したか否かにより本処理を判別してもよい。
【０１３７】
ＨｅＮＢ  ＧＷ３００は、Ｈａｎｄｏｖｅｒ  Ｒｅｑｕｅｓｔの結果がＯＫではないとき（Ｓ３７２でＮＯ）、ＭＭＥの再選択を行う（Ｓ３７３〜Ｓ３７５（図１５のＳ３９〜Ｓ４０））。この場合、ＨｅＮＢ  ＧＷ３００は、例えば、ＲＭＣ記憶テーブル３７５に基づいて、減設対象のＭＭＥ４００−１以外のＲＭＣの数値のうち、２番目に高いＲＭＣを有するＭＭＥ４００−３を選択する。そして、ＨｅＮＢ  ＧＷ３００はＭＭＥ４００−３に接続されたＨｅＮＢ１００−３をハンドオーバ先とするＨａｎｄｏｖｅｒ Ｒｅｑｕｉｒｅｄを送信する（Ｓ３７６（図１５のＳ４１））。以降は、Ｓ３５〜Ｓ３６と同様の処理が行われ（Ｓ４２〜Ｓ４３）、リロケーションに関する処理などが行われる。
【０１３８】
そして、ＨｅＮＢ  ＧＷ３００は、Ｈａｎｄｏｖｅｒ  Ｒｅｑｕｅｓｔ受信処理フローを終了する（Ｓ３７７）。ＨｅＮＢ  ＧＷ３００は、Ｈａｎｄｏｖｅｒ  Ｒｅｑｕｅｓｔを正常に受信するまで処理を繰り返す（Ｓ３７２でＮＯのループ）。
【０１３９】
一方、ＨｅＮＢ  ＧＷ３００は、Ｈａｎｄｏｖｅｒ  Ｒｅｑｕｅｓｔの結果がＯＫのとき（Ｓ３７２でＹＥＳ）、呼接続情報管理テーブル３７４にＵＥ２００のｅＮＢ  ＩＤを記憶する（Ｓ３７９（図１５のＳ４６））。例えば、演算処理部３６０は、呼接続情報管理テーブル３７４の移設先のＭＭＥ４００−２において、Ｔａｒｇｅｔ  ＭＭＥ４００−２にハンドオーバするＵＥ２００のＵＥＩＤ（「ｅＮＢ  Ｓ１ＡＰ  ＵＥＩＤ」）を記憶する。図１９（Ｂ）はＴａｒｇｅｔ  ＭＭＥ４００−２にＵＥＩＤが記憶された呼接続情報管理テーブル３７４の例を表している。
【０１４０】
図１８に戻り、次に、ＨｅＮＢ  ＧＷ３００は、特殊ＨＯ実施中フラグ３７６を確認し（Ｓ３８０）、フラグが「ＯＮ」になっているかを判別する（Ｓ３８１）。そして、ＨｅＮＢ  ＧＷ３００は、フラグが「ＯＮ」になっているとき（Ｓ３８１でＹｅｓ）、Ｔａｒｇｅｔ  ＭＭＥ４００へＨａｎｄｏｖｅｒ  Ａｃｋｎｏｗｌｅｄｇｅを送信する（Ｓ３８２（図１５のＳ４７））。他方、ＨｅＮＢ  ＧＷ３００は、フラグが「ＯＮ」になっていないとき（Ｓ３８１でＮＯ）、既存処理を行う（Ｓ３８３）。
【０１４１】
図２６はハンドオーバに関する既存処理の例を表している。既存処理のＸ１〜Ｘ３に示すように、ＨｅＮＢ  ＧＷ３００は、Ｈａｎｄｏｖｅｒ  ＲｅｑｕｅｓｔをＴａｒｇｅｔ  ＭＭＥ４００−２から受信すると、当該メッセージをＴａｒｇｅｔ  ＨｅＮＢ１００−２やＳｏｕｒｃｅ  ＨｅＮＢ１００−１へ送信（又は中継）する。
【０１４２】
特殊ＨＯ実施中は、ＨｅＮＢ  ＧＷ３００はこのようなＸ１〜Ｘ３のメッセージをＨｅＮＢ１００へ送信することなく、Ｈａｎｄｏｖｅｒ  ＡｃｋｎｏｗｌｅｄｇｅをＴａｒｇｅｔ  ＭＭＥ４００−２へ送信するようにしている（図１８のＳ２８２（図１５のＳ４７））。なお、Ｈａｎｄｏｖｅｒ  Ａｃｋｎｏｗｌｅｄｇｅは、例えば、Ｈａｎｄｏｖｅｒ  Ｒｅｑｕｉｒｅｄに対する承認を示す応答メッセージである。
【０１４３】
従って、図１８の既存処理（Ｓ３８３）の例としては、図２６のＸ１〜Ｘ３があってもよい。
【０１４４】
図１８に戻り、ＨｅＮＢ  ＧＷ３００は、Ｈａｎｄｏｖｅｒ  Ａｃｋｎｏｗｋｅｄｇｅを送信し（Ｓ３８２）、又は既存処理（Ｓ３８３）を終了すると、Ｈａｎｄｏｖｅｒ  Ｒｅｑｕｅｓｔ受信処理を終了する（Ｓ３７７）。
【０１４５】
図１９（Ａ）と図１９（Ｂ）は、Ｈａｎｄｏｖｅｒ  Ｒｅｑｕｅｓｔ受信処理終了後の再配置管理テーブル３７２と呼接続情報管理テーブル３７４の例を表している。
【０１４６】
図１５に戻り、Ｈａｎｄｏｖｅｒ  Ａｃｋｎｏｗｌｅｄｇｅ（Ｓ４７）を受信したＴａｒｇｅｔ  ＭＭＥ４００−２は、トンネル設定（又はベアラ設定）に関するメッセージをＴａｒｇｅｔ  ＳＧＷ６００−２との間で交換する（Ｓ４８）。そして、Ｔａｒｇｅｔ  ＭＭＥ４００−２は、リロケーションを行ったことを示すＦｏｒｗａｒｄ  Ｒｅｌｏｃａｔｉｎｇ  ＲｅｓｐｏｎｓｅをＳｏｕｒｃｅ  ＭＭＥ４００−１へ送信する（Ｓ４９）。その後、Ｓｏｕｒｃｅ  ＭＭＥ４００−１は、Ｓｏｕｒｃｅ  ＳＧＷ６００−１との間でトンネル設定（又はベアラ設定）に関するメッセージを交換する（図１６のＳ５０）。
【０１４７】
そして、Ｓｏｕｒｃｅ  ＭＭＥ４００−１はＨａｎｄｏｖｅｒ  ＣｏｍｍａｎｄをＨｅＮＢ  ＧＷ３００へ送信する（Ｓ５１）。Ｈａｎｄｏｖｅｒ  Ｃｏｍｍａｎｄは、例えば、ＭＭＥ４００−１，４００−２などにおいてハンドオーバの準備が整い、ＵＥ２００へハンドオーバを指示するメッセージ又は切替指示である。Ｈａｎｄｏｖｅｒ  Ｃｏｍｍａｎｄには、例えば、設定されたベアラを識別するＴＥＩＤ（Tunneling Endpoint Identifier）などが含まれてよい。
【０１４８】
ＨｅＮＢ  ＧＷ３００は、例えば、Ｈａｎｄｏｖｅｒ  Ｃｏｍｍａｎｄを受信すると（Ｓ５１）、Ｈａｎｄｏｖｅｒ  Ｃｏｍｍａｎｄ受信処理（フローＮｏ．３）を実行する。
【０１４９】
＜２．３  Ｈａｎｄｏｖｅｒ  Ｃｏｍｍａｎｄ受信処理フロー（フローＮｏ．３）＞
図２０はＨａｎｄｏｖｅｒ  Ｃｏｍｍａｎｄ受信処理フローの例を表している。
【０１５０】
ＨｅＮＢ  ＧＷ３００は、処理を開始すると（Ｓ５１０）、Ｓｏｕｒｃｅ  ＭＭＥ４００−１からＨａｎｄｏｖｅｒ  Ｃｏｍｍａｎｄを受信する（Ｓ５１１（図１５のＳ５１））。
【０１５１】
次に、ＨｅＮＢ  ＧＷ３００は、再配置管理テーブル３７２の「ＭＭＥ  Ｓ１ＡＰ  ＵＥＩＤ」を、Ｓｏｕｒｃｅ  ＭＭＥ４００−１のＵＥＩＤからＴａｒｇｅｔ  ＭＭＥ４００−２のＵＥＩＤへ変更する（Ｓ５１２（図１５のＳ５２））。
【０１５２】
図２１（Ａ）は変更後の再配置管理テーブル３７２の例を表している。再配置管理テーブル３７２の「ＭＭＥ  Ｓ１ＡＰ  ＵＥＩＤ」が「１」（例えば図１９（Ａ））から「２」へ変更されている。これにより、例えば、ＭＭＥ４００−２とＨｅＮＢ１００−１の接続リソースの関連付けが行われる。従って、ＨｅＮＢ１００−１とＴａｒｇｅｔ  ＭＭＥ４００−２は、データなどを含むメッセージの交換が可能となる。
【０１５３】
なお、演算処理部３６０は、例えば、Ｔａｒｇｅｔ  ＭＭＥ４００−２で生成された「ＭＭＥ  Ｓ１ＡＰ  ＵＥＩＤ」（＝「２」）を、Ｓ３７で受信したＨａｎｄｏｖｅｒ  Ｒｅｑｕｅｓｔから抽出してもよい。この場合、演算処理部３６０は、抽出した「ＭＭＥ  Ｓ１ＡＰ  ＵＥＩＤ」をデータ記憶部３７０に記憶し、本処理の際にデータ記憶部３７０から読み出して、再配置管理テーブル３７２に記憶してもよい。
【０１５４】
図２０に戻り、次に、ＨｅＮＢ  ＧＷ３００は、特殊ＨＯ実施中フラグ３７６を確認し（Ｓ５１３）、フラグ３７６が「ＯＮ」になっているか否かを判別する（Ｓ５１４）。フラグ３７６が「ＯＮ」のとき（Ｓ５１４でＹＥＳ）、ＨｅＮＢ  ＧＷ３００は、Ｈａｎｄｏｖｅｒ  ＣｏｍｍａｎｄをＵＥ２００へ送信することなく、Ｓｏｕｒｃｅ  ＭＭＥ４００−１へｅＮＢ  Ｓｔａｔｕｓ  Ｔｒａｎｓｆｅｒを送信する（Ｓ５１５（図１６のＳ５３））。一方、特殊ＨＯ実施中フラグ３７６が「ＯＮ」ではないとき（Ｓ５１４でＮＯ）、ＨｅＮＢ  ＧＷ３００は既存処理（Ｓ５１７）を行う。既存処理の例としては、例えば、図２６のＹ１に示すように、ＨｅＮＢ  ＧＷ３００は、受信したＨａｎｄｏｖｅｒ  ＣｏｍｍａｎｄをＨｅＮＢ１００−１へ送信して、ＨｅＮＢ１００−１から受信したｅＮＢ  Ｓｔａｔｕｓ  ＴｒａｎｓｆｅｒをＳｏｕｒｃｅ  ＭＭＥ４００−１へ送信する。
【０１５５】
ｅＮＢ  Ｓｔａｔｕｓ  Ｔｒａｎｓｆｅｒは、例えば、ハンドオーバ元のＨｅＮＢ１００−１に関する情報を含むメッセージであり、当該情報をハンドオーバ先のＨｅＮＢ１００−２へ送信するためのメッセージとなっている。
【０１５６】
図２０に戻り、ＨｅＮＢ  ＧＷ３００は、ｅＮＢ  Ｓｔａｔｕｓ  Ｔｒａｓｆｅｒを送信し（Ｓ５１５）、又は既存処理を行うと（Ｓ５１７）、Ｈａｎｄｏｖｅｒ  Ｃｏｍｍａｎｄ受信処理フローを終了する（Ｓ５１６）。
【０１５７】
図２１（Ａ）と図２１（Ｂ）は本処理終了時点での再配置管理テーブル３７２と呼接続情報管理テーブル３７４の例を表している。
【０１５８】
図１６に戻り、Ｓｏｕｒｃｅ  ＭＭＥ４００−１は、ｅＮＢ  Ｓｔａｔｕｓ  Ｔｒａｓｆｅｒを受信すると（Ｓ５３）、Ｔａｒｇｅｔ  ＭＭＥ４００−２との間でメッセージを交換する（Ｓ５４）。ｅＮＢ  Ｓｔａｔｕｓ  Ｔｒａｓｆｅｒには、例えば、ＨｅＮＢ１００−１に関する情報が含まれるため、Ｓｏｕｒｃｅ  ＭＭＥ４００−１を経由してＴａｒｇｅｔ  ＭＭＥ４００−２へ、ＨｅＮＢ１００−１に関する情報が送信される。
【０１５９】
そして、Ｔａｒｇｅｔ  ＭＭＥ４００−２は、ｅＮＢ  Ｓｔａｔｕｓ  ＴｒａｎｓｆｅｒをＨｅＮＢ  ＧＷ３００へ送信する（Ｓ５５）。このｅＮＢ  Ｓｔａｔｕｓ  Ｔｒａｎｓｆｅｒは、例えば、Ｓ５３のｅＮＢ  Ｓｔａｔｕｓ  Ｔｒａｎｓｆｅｒに対する応答メッセージであってもよい。
【０１６０】
ＨｅＮＢ  ＧＷ３００は、例えば、ｅＮＢ  Ｓｔａｔｕｓ  Ｔｒａｎｓｆｅｒを受信すると（Ｓ５５）、ｅＮＢ  Ｓｔａｔｕｓ  Ｔｒａｎｓｆｅｒ受信処理フローを実行してもよい。
【０１６１】
＜２．４  ｅＮＢ  Ｓｔａｔｕｓ  Ｔｒａｎｓｆｅｒ受信処理フロー（フローＮｏ．４）＞
図２２はｅＮＢ  Ｓｔａｔｕｓ  Ｔｒａｎｓｆｅｒ受信処理フローの例を表している。
【０１６２】
ＨｅＮＢ  ＧＷ３００は、処理を開始すると（Ｓ５５０）、Ｔａｒｇｅｔ  ＭＭＥ４００−２からｅＮＢ  Ｓｔａｔｕｓ  Ｔｒａｎｓｆｅｒを受信し（Ｓ５５１（図１５のＳ５５））、特殊ＨＯ実施中フラグ３７６を確認する（Ｓ５５２）。
【０１６３】
そして、ＨｅＮＢ  ＧＷ３００は、特殊ＨＯ実施中フラグ３７６が「ＯＮ」のとき（Ｓ５５３でＹＥＳ）、Ｔａｒｇｅｔ  ＭＭＥ４００−２へＨａｎｄｏｖｅｒ  Ｎｏｔｉｆｙを送信する（Ｓ５５４（図１５のＳ５６））。
【０１６４】
一方、ＨｅＮＢ  ＧＷ３００は、特殊ＨＯ実施中フラグ３７６が「ＯＮ」になっていないとき（Ｓ５５３でＮＯ）、既存処理を行う（Ｓ５５６）。図２６のＺ１が、例えば、既存処理に対応する。すなわち、ＨｅＮＢ  ＧＷ３００は、受信したｅＮＢ  Ｓｔａｔｕｓ  ＴｒａｎｓｆｅｒをＨｅＮＢ１００−２へ送信（又は中継）し、ＨｅＮＢ１００−２から受信したＨａｎｄｏｖｅｒ  ＮｏｔｉｆｙをＴａｒｇｅｔ  ＭＭＥ４００−２へ送信（又は中継）する。特殊ＨＯ実施中フラグ３７６が「ＯＮ」のときは、ＨｅＮＢ  ＧＷ３００はｅＮＢ  Ｓｔａｔｕｓ  ＴｒａｎｓｆｅｒをＨｅＮＢ１００−２へ送信することなく、Ｈａｎｄｏｖｅｒ  ＮｏｔｉｆｙをＴａｒｇｅｔ  ＭＭＥ４００−２へ送信する（図１６のＳ５６）。
【０１６５】
なお、Ｈａｎｄｏｖｅｒ  Ｎｏｔｉｆｙは、例えば、ＵＥ２００がＨｅＮＢ１００−２へハンドオーバしたこと（又はＵＥ２００がＨｅＮＢ１００−２へのハンドオーバが成功したこと）を示すメッセージである。
【０１６６】
図２２に戻り、ＨｅＮＢ  ＧＷ３００は、Ｈａｎｄｏｖｅｒ  Ｎｏｔｉｆｙを送信し（Ｓ５５４（図１６のＳ５６））、又は既存処理を行うと（Ｓ５５６）、ｅＮＢ  Ｓｔａｔｕｓ  Ｔｒａｎｓｆｅｒ受信処理フローを終了する（Ｓ５５５）。
【０１６７】
図１６に戻り、Ｔａｒｇｅｔ  ＭＭＥ４００−２は、Ｈａｎｄｏｖｅｒ  Ｎｏｔｉｆｙを受信すると（Ｓ５６）、Ｓｏｕｒｃｅ  ＭＭＥ４００−１との間でリロケーションに関するメッセージを交換する（Ｓ６０）。また、Ｔａｒｇｅｔ  ＭＭＥ４００−２は、Ｔａｒｇｅｔ  ＳＧＷ６００−２との間でベアラの通知に関するメッセージを交換する（Ｓ６１）。
【０１６８】
そして、Ｓｏｕｒｃｅ  ＭＭＥ４００−１は、Ｄｅｌｅｔｅ  Ｓｅｓｓｉｏｎ  ＲｅｑｕｅｓｔをＴａｒｇｅｔ  ＭＭＥ４００−１へ送信し（Ｓ６２）、ＵＥ  Ｃｏｎｔｅｘｔ  Ｒｅｌｅａｓｅ  ＣｏｍｍａｎｄをＨｅＮＢ  ＧＷ３００へ送信する（Ｓ６３）。
【０１６９】
ＵＥ  Ｃｏｎｔｅｘｔ  Ｒｅｌｅａｓｅ  Ｃｏｍｍａｎｄは、例えば、ＵＥ２００に関連した論理的な接続の開放（又はＵＥ２００の接続リソースの開放）を要求するメッセージ又は開放要求である。
【０１７０】
ＨｅＮＢ  ＧＷ３００は、ＵＥ  Ｃｏｎｔｅｘｔ  Ｒｅｌｅｓｅ  Ｃｏｍｍａｎｄ（Ｓ６３）を受信すると、ＵＥ  Ｃｏｎｔｅｘｔ  Ｒｅｌｅｓｅ  Ｃｏｍｍａｎｄ受信処理フローを実行する。
【０１７１】
＜２．５  ＵＥ  Ｃｏｎｔｅｘｔ  Ｒｅｌｅｓｅ  Ｃｏｍｍａｎｄ受信処理フロー（フローＮｏ．５）＞
図２３は、ＵＥ  Ｃｏｎｔｅｘｔ  Ｒｅｌｅｓｅ  Ｃｏｍｍａｎｄ受信処理フローの例を表している。
【０１７２】
ＨｅＮＢ  ＧＷ３００は、処理を開始すると（Ｓ６３０）、Ｓｏｕｒｃｅ  ＭＭＥ４００−１からＵＥ  Ｃｏｎｔｅｘｔ  Ｒｅｌｅａｓｅ  Ｃｏｍｍａｎｄを受信する（Ｓ６３１（図１６のＳ６３））。  
【０１７３】
そして、ＨｅＮＢ  ＧＷ３００は、呼接続情報管理テーブル３７４から、ハンドオーバ対象のＵＥ２００のＵＥＩＤを削除する（Ｓ６３２（図１６のＳ６４））。
【０１７４】
図２４（Ｂ）はＵＥＩＤ削除後の呼接続情報管理テーブル３７４の例を表している。当該テーブル３７４において、減設対象のＭＭＥ（＃１）４００−１の項目に記憶されたＵＥＩＤが削除されている。例えば、演算処理部３６０は、減設対象のＭＭＥ４００−１と移設先のＭＭＥ４００−２を把握している（例えば図１７のＳ３０５）。従って、演算処理部３６０は、ＵＥ  Ｃｏｎｔｅｘｔ  Ｒｅｌｅａｓｅ  Ｃｏｍｍａｎｄの受信により、減設対象のＭＭＥ４００−１に対する接続リソースは解放可能と判別し、当該テーブル３７４から対応するＵＥＩＤを削除する。
【０１７５】
図２３に戻り、次に、ＨｅＮＢ  ＧＷ３００は、特殊ＨＯ実施中フラグ３７６を確認し（Ｓ６３３）、フラグが「ＯＮ」のとき（Ｓ６３４でＹＥＳ）、Ｓｏｕｒｃｅ  ＭＭＥ４００−１へ、ＥｅＮＢ  Ｃｏｎｔｅｘｔ  Ｒｅｌｅａｓｅ  Ｃｏｍｐｌｅｔｅを送信する（Ｓ６３５（図１６のＳ６５））。
【０１７６】
一方、ＨｅＮＢ  ＧＷ３００は、フラグが「ＯＮ」ではないとき（Ｓ６３４でＮＯ）、既存処理を行う（Ｓ６３７）。図２６のＵ１が、例えば、既存処理に対応する。すなわち、ＨｅＮＢ  ＧＷ３００は、ＵＥ  Ｃｏｎｔｅｘｔ  Ｒｅｌｅａｓｅ  ＣｏｍｍａｎｄをＨｅＮＢ１００−１へ送信し、ＨｅＮＢ１００−１から受信したＵＥ  Ｃｏｎｔｅｘｔ  Ｒｅｌｅａｓｅ  ＣｏｍｐｌｅｔｅをＳｏｕｒｃｅ  ＭＭＥ４００−１へ送信する。フラグが「ＯＮ」のときは、ＨｅＮＢ  ＧＷ３００は、ＵＥ  Ｃｏｎｔｅｘｔ  Ｒｅｌｅａｓｅ  ＣｏｍｍａｎｄをＨｅＮＢ１００−１へ送信することなく、ＵＥ  Ｃｏｎｔｅｘｔ  Ｒｅｌｅａｓｅ  ＣｏｍｐｌｅｔｅをＳｏｕｒｃｅ  ＭＭＥ４００−１へ送信する。
【０１７７】
なお、ＵＥ  Ｃｏｎｔｅｘｔ  Ｒｅｌｅａｓｅ  Ｃｏｍｐｌｅｔｅは、例えば、ＵＥ２００に関連した論理的な接続の開放（又はＵＥ２００の接続リソースの開放）を確認するメッセージである。
【０１７８】
図２３に戻り、ＨｅＮＢ  ＧＷ３００は、ｅＮＢ  Ｃｏｎｔｅｘｔ  Ｒｅｌｅａｓｅ  Ｃｏｍｐｌｅｔｅを送信し（Ｓ６３５（図１６のＳ６５））、又は既存処理を行うと（Ｓ６３７）、ＵＥ  Ｃｏｎｔｅｘｔ  Ｒｅｌｅａｓｅ  Ｃｏｍｍａｎｄ受信処理フローを終了する（Ｓ６３６）。
【０１７９】
図２４（Ａ）と図２４（Ｂ）は、本処理終了時点での再配置管理テーブル３７２と呼接続情報管理テーブル３７４の例を表している。
【０１８０】
図１６に戻り、Ｓｏｕｒｃｅ  ＭＭＥ４００−１は、ＵＥ  Ｃｏｎｔｅｘｔ  Ｒｅｌｅａｓｅ  Ｃｏｍｐｌｅｔｅを受信すると（Ｓ６５）、Ｓｏｕｒｃｅ  ＭＭＥ４００−１との間でセッションの開放に関するメッセージを交換する（Ｓ６６）。
【０１８１】
そして、ＨｅＮＢ  ＧＷ３００は、減設対象のＭＭＥ４００−１に存在する呼が無くなるまでＳ３１からＳ６６までの処理を繰り返す（Ｓ７０）。この場合、ＨｅＮＢ  ＧＷ３００は、例えば、減設対象のＭＭＥ４００−１に複数呼が存在する場合、呼ごとに並列にＳ３１からＳ６６までの処理を行ってもよいし、複数呼のうち、いくつかをまとめてＳ３１からＳ６６までの処理を行ってもよい。
【０１８２】
＜２．６  全体の繰り返しフロー（フローＮｏ．６）＞
図２５は繰り返しフローの例を表している。例えば、ＨｅＮＢ  ＧＷ３００は、ＵＥ  Ｃｏｎｔｅｘｔ  Ｒｅｌｅａｓｅ  Ｃｏｍｐｌｅｔｅを送信後（図１６のＳ６５）、繰り返しフローを実行してもよい。
【０１８３】
ＨｅＮＢ  ＧＷ３００は、処理を開始すると（Ｓ７００）、Ｓｏｕｒｃｅ  ＭＭＥ４００−１に接続されている呼の有無を、呼接続情報管理テーブル３７４に基づいて確認する（Ｓ７０１）。
【０１８４】
ＨｅＮＢ  ＧＷ３００は、当該呼が有るとき（Ｓ７０２でＹＥＳ）、フローＮｏ．１からフローＮｏ．５を実施する（Ｓ７０３（図１６のＳ７０））。そして、処理はＳ７０１へ移行し、ＨｅＮＢ  ＧＷ３００は上述した処理を繰り返す（Ｓ７０１〜Ｓ７０３のループ）。
【０１８５】
一方、ＨｅＮＢ  ＧＷ３００は、当該呼が無くなると（Ｓ７０２でＮＯ）、繰り返しフローを終了する（Ｓ７０４）。
【０１８６】
図１６に戻り、次に、Ｓｏｕｒｃｅ  ＭＭＥ４００−１が物理的に無線通信システム１０から取り外されて、減設される（Ｓ７１）。
【０１８７】
図２７は、ＭＭＥ４００−１が減設される場合の例を表している。図２７では、例えば、旧ＭＭＥ４００−１が稼働している場合において、新ＭＭＥ４００−２が増設され、２つのＭＭＥ４００−１，４００−２がＨｅＮＢ  ＧＷ３００に接続されて並列に動作している。このような状況において、旧ＭＭＥ４００−１が減設される場合が相当する。旧ＭＭＥ４００−１がＵＥ２００−１，２００−２の呼を収容する場合でも、上述した図１５及び図１６の処理などを行うことで、旧ＭＭＥ４００−１から新ＭＭＥ４００−２へのリロケーションが可能で、これらの呼も新ＭＭＥ４００−２へ切り替えられる。従って、図２７に示す場合においても、無線通信システム１０は、呼が切断されることはないため、ＵＥ２００−１，２００−２に対して継続したサービスを提供することが可能となる。
【０１８８】
［その他の実施の形態］
第２の実施の形態においては、ＭＭＥ４００−１を減設する場合の例について説明した。例えば、ＭＭＥ４００−１を移設する場合についても第２の実施の形態は適用可能である。
【０１８９】
すなわち、ＭＭＥ４００−１が無線通信システム１０から物理的に取り外され、他の場所への移動後、当該他の場所で再び無線通信システム１０へ接続させるようにする場合がある。或いは、ＭＭＥ４００−１が無線通信システム１０から物理的に取り外されて、修理などを行って、再度、同じ場所などにおいて無線通信システム１０へ接続させる場合もある。いずれの場合もＭＭＥ４００−１の取り外しから接続までの間、無線通信システム１０は、例えば、図１２、図１５、及び図１６などに示す全体シーケンスを実行することで、ＵＥ２００に対して継続したサービスを提供することが可能となる。
【０１９０】
上述した例において、ＣＰＵ１４０，２２０，３３０，４３０は、例えば、ＭＰＵ（Micro Processing Unit）、ＦＰＧＡ（Field-Programmable Gate Array）、又はＤＳＰ（Digital Signal Processor）など、他のコントローラであってもよい。
【０１９１】
以上まとめると付記のようになる。
【０１９２】
（付記１）
端末装置と無線通信を行う第１の基地局装置を制御する第１の基地局制御装置に対する減設指示又は移設指示を受信したとき、第２の基地局装置を制御する第２の基地局制御装置に接続された当該第２の基地局装置を前記端末装置の接続の切替先とする第１の接続切替要求を前記第１の基地局制御装置へ送信することを指示する演算処理部と、
前記指示に従って前記第１の接続切替要求を前記第１の基地局制御装置へ送信するインタフェース処理部と
を備えることを特徴とする通信制御装置。
【０１９３】
（付記２）
前記演算処理部は、前記端末装置が前記第１の基地局装置から前記第２の基地局装置へ接続を切り替えることなく前記第１の接続切替要求の送信を指示することを特徴とする付記１記載の通信制御装置。
【０１９４】
（付記３）
前記第１の接続切替要求は、Ｈａｎｄｏｖｅｒ  Ｒｅｑｕｉｒｅｄであることを特徴とする付記１記載の通信制御装置。
【０１９５】
（付記４）
更に、データ記憶部を備え、
前記演算処理部は、前記通信制御装置と前記第１及び第２の基地局制御装置の間で前記端末装置の接続の切替を行うことを示すフラグを前記データ記憶部に記憶することを特徴とする付記１記載の通信制御装置。
【０１９６】
（付記５）
前記演算処理部は、前記第１の接続切替要求に対して第２の接続切替要求を受信したとき、当該第２の接続切替要求の送信元が前記第２の基地局制御装置か否かを確認することを特徴とする付記１記載の通信制御装置。
【０１９７】
（付記６）
前記演算処理部は、前記第２の基地局制御装置から第２の接続切替要求を受信したとき、前記第２の接続切替要求を前記第２の基地局装置へ送信することなく前記第２の接続切替要求に対する応答メッセージを前記第２の基地局制御装置へ送信することを特徴とする付記１記載の通信制御装置。
【０１９８】
（付記７）
更に、呼接続情報管理テーブルを記憶するデータ記憶部を備え、
前記演算処理部は、前記第２の基地局制御装置と前記端末装置の識別情報を前記呼接続情報管理テーブルに記憶することを特徴とする付記６記載の通信制御装置。
【０１９９】
（付記８）
前記第２の接続切替要求はＨａｎｄｏｖｅｒ  Ｒｅｑｕｅｓｔ、前記応答メッセージはＨａｎｄｏｖｅｒ  Ａｃｋｎｏｗｌｅｄｇｅであることを特徴とする付記６記載の通信制御装置。
【０２００】
（付記９）
前記演算処理部は、前記第１の接続切替要求に対して前記第２の基地局制御装置から第２の接続切替要求を受信できなかったとき、第３の基地局装置を制御する第３の基地局制御装置に接続された当該第３の基地局装置を前記端末装置の接続の切替先とする第３の接続切替要求を前記第２の基地局制御装置へ送信することを特徴とする付記１記載の通信制御装置。
【０２０１】
（付記１０）
前記演算処理部は、前記第１の基地局制御装置から受信した、前記端末装置に対する接続の切替を指示する切替指示を前記第１の基地局装置へ送信することなく、前記第１の基地局装置に関する情報を含むメッセージを前記第１の基地局制御装置へ送信することを特徴とする付記１記載の通信制御装置。
【０２０２】
（付記１１）
更に、再配置管理テーブルを記憶するデータ記憶部を備え、
前記演算処理部は、前記第１の基地局制御装置で生成され、前記第１の基地局制御装置から受信した前記端末装置の第１の識別情報と、前記第１の基地局装置で生成され、前記第１の基地局装置から受信した前記端末装置の第２の識別情報を前記再配置管理テーブルに記憶し、前記再配置管理テーブルに記憶された前記第１の識別情報を、前記第２の基地局制御装置で生成され、前記第２の基地局制御装置から受信した前記端末装置の第３の識別情報に書き換えて前記再配置管理テーブルに記憶することを特徴とする付記１０記載の通信制御装置。
【０２０３】
（付記１２）
前記切替指示はＨａｎｄｏｖｅｒ  Ｃｏｍｍａｎｄ、前記第１の基地局装置に関する情報を含むメッセージはｅＮＢ  Ｓｔａｔｕｓ  Ｔｒａｎｓｆｅｒであることを特徴とする付記１０記載の通信制御装置。
【０２０４】
（付記１３）
前記演算処理部は、前記第２の基地局制御装置から受信した前記第１の基地局装置に関する情報を含むメッセージを前記第２の基地局装置へ送信することなく、前記端末装置が前記第２の基地局装置へ接続を切り替えたことを示すメッセージを前記第２の基地局制御装置へ送信することを特徴とする付記１記載の通信制御装置。
【０２０５】
（付記１４）
前記第１の基地局装置に関する情報を含むメッセージはｅＮＢ  Ｓｔａｔｕｓ  Ｔｒａｎｓｆｅｒ、前記端末装置が前記第２の基地局装置へ接続を切り替えたことを示すメッセージはＨａｎｄｏｖｅｒ  Ｎｏｔｉｆｙであることを特徴とする付記１３記載の通信制御装置。
【０２０６】
（付記１５）
前記演算処理部は、前記第１の基地局制御装置から受信した前記端末装置の接続リソースの開放を要求する開放要求を前記第１の基地局装置へ送信することなく、前記接続リソースの開放を確認するメッセージを前記第１の基地局制御装置へ送信することを特徴とする付記１記載の通信制御装置。
【０２０７】
（付記１６）
更に、呼接続情報管理テーブルを記憶するデータ記憶部を備え、
前記演算処理部は、前記呼接続情報管理テーブルに記憶された、前記第１の基地局制御装置と接続された前記端末装置の識別情報を、前記呼接続情報管理テーブルから削除することを特徴とする付記１５記載の通信制御装置。
【０２０８】
（付記１７）
前記開放要求はＵＥ  Ｃｏｎｔｅｘｔ  Ｒｅｌｅａｓｅ  Ｃｏｍｍａｎｄ、前記接続リソースの開放を確認するメッセージはＵＥ  Ｃｏｎｔｅｘｔ  Ｒｅｌｅａｓｅ  Ｃｏｍｐｌｅｔｅであることを特徴とする付記１５記載の通信制御装置。
【０２０９】
（付記１８）
前記第１及び第２の基地局装置のカバレッジ範囲は、前記通信制御装置を介することなく前記第１又は第２の基地局制御装置と接続された第４の基地局装置のカバレッジ範囲よりも狭いことを特徴とする付記１記載の通信制御装置。
【０２１０】
（付記１９）
演算処理部とインタフェース処理部を備える通信制御装置における呼接続変更方法であって、
前記演算処理部により、端末装置と無線通信を行う第１の基地局装置を制御する第１の基地局制御装置に対する減設指示又は移設指示を受信したとき、第２の基地局装置を制御する第２の基地局制御装置に接続された当該第２の基地局装置を前記端末装置の接続の切替先とする第１の接続切替要求を前記第１の基地局制御装置へ送信することを指示し、
前記インタフェース処理部により、前記指示に従って前記第１の接続切替要求を前記第１の基地局制御装置へ送信する
ことを特徴とする呼接続変更方法。
【符号の説明】
【０２１１】
１０：無線通信システム                
１００（１００−１〜１００−４）：ＨｅＮＢ
１００−５〜１００−７：ｅＮＢ        ２００（２００−１，２００−２）：ＵＥ
３００：ＨｅＮＢ  ＧＷ                ３１０：伝送路インタフェース
３２０：Ｌ２ＳＷ                      ３３０：ＣＰＵ
３４０：メモリ                        ３５０：ＩＦ処理部
３６０：演算処理部                    ３７０：データ記憶部
４００：ＭＭＥ                        ４００−１：Ｓｏｕｒｃｅ  ＭＭＥ
４００−２：Ｔａｒｇｅｔ  ＭＭＥ      ５００：ＨｅＭＳ
６００：ＳＧＷ
【図１】
2017184029.tif 000003
【図２】
2017184029.tif 000004
【図３】
2017184029.tif 000005
【図４】
2017184029.tif 000006
【図５】
2017184029.tif 000007
【図６】
2017184029.tif 000008
【図７】
2017184029.tif 000009
【図８】
2017184029.tif 000010
【図９】
2017184029.tif 000011
【図１０】
2017184029.tif 000012
【図１１】
2017184029.tif 000013
【図１２】
2017184029.tif 000014
【図１３】
2017184029.tif 000015
【図１４】
2017184029.tif 000016
【図１５】
2017184029.tif 000017
【図１６】
2017184029.tif 000018
【図１７】
2017184029.tif 000019
【図１８】
2017184029.tif 000020
【図１９】
2017184029.tif 000021
【図２０】
2017184029.tif 000022
【図２１】
2017184029.tif 000023
【図２２】
2017184029.tif 000024
【図２３】
2017184029.tif 000025
【図２４】
2017184029.tif 000026
【図２５】
2017184029.tif 000027
【図２６】
2017184029.tif 000028
【図２７】
2017184029.tif 000029